(57)【要約】【課題】機械や基板収納ケース内の制御基板などの検査や部品交換などを容易に行うことができ、しかも電気的装置に取り付けている電気的に接続可能な接続部材が不意に外れるなどの虞を低減することが可能な基板収納ケースの取付構造の提供を目的とする。【解決手段】電気的装置には前記電気的装置内あるいは前記電気的装置と他の電気的装置同士を電気的に接続可能な接続部材１０４を着脱自在に取り付けることが可能な接続部材取付部ｃ２を備えており、前記接続部材取付部ｃ２は、前記基板収納ケース７０が取付収納状態の際に基板収納ケース取付位置及び取付位置の近傍において基板収納ケース７０によって覆われる領域に配設され、前記基板収納ケース７０が取付収納状態の際には接続部材１０４が外れることを阻止する一方、少なくとも設定保持位置である際には外れることを可能にする接続部材着脱規制手段を備えた。【選択図】      図４
2006043462.tif 000002
【特許請求の範囲】
【請求項１】
機械の基板収納ケース取付位置に形成された基板収納ケース支持部に基板収納ケースを取り外し可能に取り付ける基板収納ケースの取付構造において、
前記基板収納ケース及び前記基板収納ケース支持部には、前記基板収納ケースが予め定められた取付収納位置で取付収納状態となる取付手段と、前記取付収納位置から所定の移動範囲を移動可能であると共に前記取付収納位置とは異なる前記移動範囲にある設定保持位置で前記基板収納ケースを設定保持状態にする設定保持手段と、前記基板収納ケースが前記移動範囲を移動する移動手段と、を備えており、
前記機械の稼働のための制御を行う電気的装置を備えると共に前記電気的装置には前記電気的装置内あるいは前記電気的装置と他の電気的装置同士を電気的に接続可能な接続部材を着脱自在に取り付けることが可能な接続部材取付部を備えており、
前記接続部材取付部は、前記基板収納ケースが前記取付収納状態の際に前記基板収納ケース取付位置及び前記取付位置の近傍において前記基板収納ケースによって覆われる領域に配設されており、
前記基板収納ケースが前記取付収納状態の際には前記接続部材取付部から前記接続部材が外れることを阻止する一方、前記取付収納位置以外において少なくとも前記設定保持位置である際には前記接続部材が外れることを可能にする接続部材着脱規制手段を備えたことを特徴とする基板収納ケースの取付構造。
【発明の詳細な説明】
【技術分野】
【０００１】
本発明は、遊技機などの機械に対して取り外し可能に基板収納ケースを取り付けるための基板収納ケースの取付構造に関する。
【背景技術】
【０００２】
従来、例えば遊技機などの機械には、機械を制御するための制御基板を収容した基板収納ケースが取り付けられている。
【０００３】
しかしながら、機械の少なくとも一部の検査や破損による部品交換を行う際に前記基板収納ケースが邪魔になることがあり、その場合に基板収納ケースの取り外し作業及びその後の再取付作業に手間がかかる問題がある。特に、複数の基板収納ケースを設ける場合には基板収納ケースを配置するスペースが制限されるため、複数の基板収納ケースを重ねて配置するなど複雑な配置構成とする必要があり、機械の検査や部品交換の際における基板収納ケースの着脱作業に、より多くの手間がかかるようになる。
【０００４】
なお、基板収納ケースをヒンジ機構により上方へ回動可能に取り付けるとともに、基板収納ケースを所定角度回動させた位置で支持する棒状の支持部材を基板収納ケースと基板収納ケース配置部間に支え棒として設けることも提案されているが、棒状の支持部材を基板収納ケースと基板収納ケース配置部間にセットしたり、外したりする作業に手間取る。
【０００５】
また、遊技機などの機械においては、電気的に接続可能な接続部材が電気的装置に着脱自在に取り付けられることによって、電気的装置内あるいは電気的装置間が電気的に接続されている。しかし、電気的に接続可能な接続部材が例えば、機械の振動などで不意に外れて、機械が急に作動停止したり作動不良を生じたりする虞がある。
【特許文献１】特開平１１−１７９０２４号公報
【発明の開示】
【発明が解決しようとする課題】
【０００６】
本発明は、前記の点に鑑みなされたもので、機械や基板収納ケース内の制御基板などの検査や部品交換などを容易に行うことができ、しかも電気的装置に取り付けている電気的に接続可能な接続部材が不意に外れるなどの虞を低減することが可能な基板収納ケースの取付構造の提供を目的とする。
【課題を解決するための手段】
【０００７】
請求項１の発明は、機械の基板収納ケース取付位置に形成された基板収納ケース支持部に基板収納ケースを取り外し可能に取り付ける基板収納ケースの取付構造において、前記基板収納ケース及び前記基板収納ケース支持部には、前記基板収納ケースが予め定められた取付収納位置で取付収納状態となる取付手段と、前記取付収納位置から所定の移動範囲を移動可能であると共に前記取付収納位置とは異なる前記移動範囲にある設定保持位置で前記基板収納ケースを設定保持状態にする設定保持手段と、前記基板収納ケースが前記移動範囲を移動する移動手段と、を備えており、前記機械の稼働のための制御を行う電気的装置を備えると共に前記電気的装置には前記電気的装置内あるいは前記電気的装置と他の電気的装置同士を電気的に接続可能な接続部材を着脱自在に取り付けることが可能な接続部材取付部を備えており、前記接続部材取付部は、前記基板収納ケースが前記取付収納状態の際に前記基板収納ケース取付位置及び前記取付位置の近傍において前記基板収納ケースによって覆われる領域に配設されており、前記基板収納ケースが前記取付収納状態の際には前記接続部材取付部から前記接続部材が外れることを阻止する一方、前記取付収納位置以外において少なくとも前記設定保持位置である際には前記接続部材が外れることを可能にする接続部材着脱規制手段を備えたことを特徴とする。
【発明の効果】
【０００８】
請求項１の発明によれば、機械の基板収納ケース取付位置に形成された基板収納ケース支持部に基板収納ケースを取り外し可能に取り付ける基板収納ケースの取付構造において、前記基板収納ケース及び前記基板収納ケース支持部には、前記基板収納ケースが予め定められた取付収納位置で取付収納状態となる取付手段と、前記取付収納位置から所定の移動範囲を移動可能であると共に前記取付収納位置とは異なる前記移動範囲にある設定保持位置で前記基板収納ケースを設定保持状態にする設定保持手段と、前記基板収納ケースが前記移動範囲を移動する移動手段と、を備えており、前記機械の稼働のための制御を行う電気的装置を備えると共に前記電気的装置には前記電気的装置内あるいは前記電気的装置と他の電気的装置同士を電気的に接続可能な接続部材を着脱自在に取り付けることが可能な接続部材取付部を備えており、前記接続部材取付部は、前記基板収納ケースが前記取付収納状態の際に前記基板収納ケース取付位置及び前記取付位置の近傍において前記基板収納ケースによって覆われる領域に配設されており、前記基板収納ケースが前記取付収納状態の際には前記接続部材取付部から前記接続部材が外れることを阻止する一方、前記取付収納位置以外において少なくとも前記設定保持位置である際には前記接続部材が外れることを可能にする接続部材着脱規制手段を備えた構成としたことにより、基板収納ケースを取り外すことによって、機械や基板収納ケース内の制御基板などの検査や部品交換などを容易に行うことができ、また、基板収納ケースが前記取付収納状態の際には、電気的に接続可能な接続部材が不意に外れるなどの虞を低減することが可能となる。
【発明を実施するための最良の形態】
【０００９】
以下添付の図面に基づき本発明の好適な実施形態を説明する。図１は本発明の基板収納ケースの取付構造によって基板収納ケースが取り付けられた遊技機について遊技盤の釘を省略して示す正面図、図２は同遊技機の裏面図、図３は同遊技機の遊技盤に取付板を介して音声・ランプ制御基板収納ケースと主制御基板収納ケースが取り付けられた状態を示す遊技盤の裏面図、図４は主制御基板収納ケースの取付収納状態における主制御基板収納ケース、表示制御基板収納ケース等の側面図である。
【００１０】
図１に示す遊技機１は、遊技媒体として遊技球を用いるパチンコ遊技機であって、遊技店において上下方向に沿う略垂直に設置される。前記遊技機１は、前枠Ｆ２の背面に遊技盤２を備える。遊技盤２の前面には、縁に遊技球の外側ガイドレール３及び内側ガイドレール４が略円形に立設され、前記内側ガイドレール４によって囲まれた遊技領域５の中心線上にその上部から下部に向かって順に表示装置６、始動口７、特別電動役物である大入賞口８、アウト口９が配設され、また上方両側にはランプ風車１０ａ，１０ｂ、その下方に普通図柄変動開始用左ゲート１１ａ及び普通図柄変動開始用右ゲート１１ｂ、その下方に左袖入賞口１２ａと右袖入賞口１２ｂ、さらには前記大入賞口８の両側に左落とし入賞口１３ａと右落とし入賞口１３ｂが配設されている。前記種々の入賞口に遊技球が入賞すると所定数の遊技球が賞品球として払い出される。なお、大当たりになると大入賞口８が開放され、遊技球が入賞し易い大当たり遊技が実行される。符号１４ａ，１４ｂは風車、Ｆ１は外枠、Ｇは前枠Ｆ２に開閉可能にヒンジで取り付けられたガラス枠、１５はプリペイドカードユニットである。
【００１１】
また、前記遊技機１の前面側には、枠飾り右ランプ１６ａ、枠飾り上ランプ１６ｂ及び枠飾り左ランプ１６ｃからなるランプ装置１６、払い出された遊技球を受けるための上側球受け皿１７、該上側球受け皿１７の飽和時に遊技球を受けるための下側球受け皿１８、効果音等を発するスピーカ１９、遊技者の発射操作に応じて遊技球を遊技領域５に向けて弾発発射する発射装置２０等がそれぞれ組み付けられている。符号２１は、遊技球の発射強度を調節するための回動可能な操作ハンドルである。
【００１２】
前記発射装置２０により遊技領域５に発射された遊技球が、前記始動口７に入球したことに起因して、前記表示装置６の特別図柄表示部６ａで特別図柄が変動表示され、所定時間変動後に停止表示される。停止表示された特別図柄が大当たり特別図柄の場合、大当たり遊技が実行される。大当たり遊技では、前記大入賞口８の開閉板８ａが開放されて遊技球が入球し易くなり、大入賞口８へ遊技球が入球すると所定数の遊技球が賞品球として払い出される。なお、前記普通図柄変動開始用左ゲート１１ａ又は普通図柄変動開始用右ゲート１１ｂに遊技球が入球すると、前記表示装置６の左下部に組み込まれている普通図柄表示部６ｂで小当たり判定用の普通図柄が変動開始し、所定時間変動後に停止表示する。停止表示された普通図柄が小当たり普通図柄の場合、前記始動口７における２つの可動片７ａ，７ｂが、略垂直で入賞し難い狭小開放状態（通常状態）から略Ｖ字形（逆ハの字形）の入賞し易い拡開開放状態に変化し、可動片７ａ，７ｂ間に遊技球が入球すると所定数の遊技球が賞品球として払い出されると共に、前記のように特別図柄表示部６ａで特別図柄が変動開始する。
【００１３】
前記遊技機１の背面には、図２に示すように、遊技機１の制御のための各種の電気的装置や機械的な装置が取り付けられ、また前記電気的装置は制御を行うための制御基板を備えている。前記制御基板は、それぞれ単独で、あるいは複数種類まとめて基板収納ケースに収納され、基板収納ケースごと基板収納ケース取付位置に取り外し可能に取り付けられている。なお、制御基板が収容された基板収容ケースも、電気的装置を構成する。符号２２はタンク、２３は誘導樋、２４は電源基板収納ケース、２５は発射制御基板収納ケース、２６は払出制御基板収納ケース、２７はカードインターフェース接続部、２８は払出装置、９０は外部端子基板である。また、前記遊技盤２における前記遊技領域５の形成された面とは反対の裏面側２ａには、図３及び図４にも示すように、表示制御基板収納ケース２９が取り付けられていると共に、前記表示制御基板収納ケース２９の下方に取付板３０を介して音声・ランプ制御基板収納ケース６０と主制御基板収納ケース７０が重なって取り付けられている。前記表示制御基板収納ケース２９の背面２９ａは、前記主制御基板収納ケース７０の背面７０ａよりも遊技機１の後方側に位置している。これは、近年、表示制御装置が巨大化する傾向にあるが、遊技機の平面サイズが制限されるため、前記表示制御基板収納ケース２９を遊技機１の後方側へ拡大せざるを得ないことによる。
【００１４】
前記電気的装置間あるいは電気的装置内は電気的な接続可能な接続部材（例えばハーネス等）で接続されている。図３〜図８の符号１０１〜１１７は、電気的装置同士を接続する、あるいは電気的装置内を接続する接続部材を示す。例えば、接続部材１０１は主制御基板と外部端子基板との接続部材、接続部材１０２は主制御基板と払出制御基板との接続部材、接続部材１０３は主制御基板と電源基板との接続部材、接続部材１０４は主制御基板と音声・ランプ制御基板との接続部材に用いられる。前記各接続部材は、配線部材ｈ１と配線部材ｈ１の端部に取り付けられたケーブル側コネクタ（雄側コネクタ）ｃ１で構成されている。また、前記電気的装置の制御基板には前記接続部材を着脱自在に取り付けるための接続部材取付部としての受け側コネクタ（雌側コネクタ）ｃ２が取り付けられており、接続部材の取り付け時には、前記ケーブル側コネクタｃ１が受け側コネクタｃ２に差し込まれ、また取り外し時には、前記受け側コネクタｃ２に差し込まれているケーブル側コネクタｃ１が抜き取られる。
【００１５】
本実施例では、前記取付板３０に対する前記音声・ランプ制御基板収納ケース６０及び前記主制御基板収納ケース７０の取付構造に、本発明の取付構造が適用されている。以下、本実施例における前記取付板３０に対する前記音声・ランプ制御基板収納ケース６０及び前記主制御基板収納ケース７０の取付について、詳細に説明する。
【００１６】
図５は前記取付板３０に前記音声・ランプ制御基板収納ケース６０及び前記主制御基板収納ケース７０を取り付けた取付収納状態において取付板を右側から眺めた斜視図、図６は同取付収納状態において取付板を左側から眺めた斜視図、図７は前記主制御基板収納ケース７０を設定保持角度に保持固定した状態において取付板を左側から眺めた斜視図、図８は同取付収納状態において取付板を右側から眺めた斜視図、図９は前記取付板３０に対して前記音声・ランプ制御基板収納ケース６０を着脱する際の斜視図、図１０は前記取付板３０に前記音声・ランプ制御基板収納ケース６０を取り付けた状態の斜視図、図１１は前記音声・ランプ制御基板収納ケースの収納状態の下側側面図及びＡ部拡大断面図、図１２は前記音声・ランプ制御基板収納ケースの切り欠き部の作用を示す図である。
【００１７】
まず、前記取付板３０に対する前記音声・ランプ制御基板収納ケース６０の取付構造について説明する。前記取付板３０は、前記遊技盤２の裏面側２ａにビス等の固定手段によって、上下方向に沿う略垂直に固定される。図示の取付板３０は、略均一な厚みの長方形板状体からなるが、部分的に凹凸のあるものであっても、あるいは長方形とは異なるものでもよい。前記取付板３０には、図９及び図１０に示すように、開口部３１，３２が形成されている。本実施例における前記開口部３１，３２は、図１０のように前記音声ランプ制御基板収納ケース６０を回動させた際に、あるいは図９のように前記音声・ランプ制御基板収納ケース６０を前記取付板３０から取外した際に、前記開口部３１，３２を介して前記遊技盤２の裏面側２ａを露出させて、前記遊技盤２の裏面側２ａの装置類を点検あるいは交換可能にする。本実施例では、前記取付板３０の開口部３１，３２は、前記遊技盤２の裏面側２ａに設けられる前記始動口７の駆動装置と前記大入賞口８の駆動装置の位置に対応する。なお、前記始動口７や大入賞口８の駆動装置に限らず、その他の装置類などでもよい。
【００１８】
前記取付板３０は、裏面（遊技機後方側の面）３０ａにおける前記開口部３１，３２を覆う所要範囲が、基板収納ケース取付位置とされている。前記基板収納ケース取付位置には、前記開口部３１，３２を略中央として左右方向の一側に第２の基板収納ケース取付部３３が設けられ、他側に第２の基板収納ケース係止部３８が設けられている。前記第２の基板収納ケース取付部３３と前記第２の基板収納ケース係止部３８間の距離は、前記音声・ランプ制御基板収納ケース６０の横方向の幅と略等しい値とされている。
【００１９】
前記第２の基板収納ケース取付部３３は、中空ブロック状の基部３４と、前記基部３４に形成された２つの回動支持筒部３５，３５よりなる。前記２つの回動支持筒部３５，３５は、前記第２の基板収納ケース取付部３３の基部３４において、前記取付板３０の裏面３０ａから遠い側の面３４ａに、前記取付板３０と略平行に、かつ上下方向に離して略垂直に形成されている。
【００２０】
前記第２の基板収納ケース係止部３８は、中空ブロック状の基部３９と、前記第２の基板収納ケース係止部３８の基部３９において、前記取付板３０の裏面３０ａから遠い側の面３９ａに立設された係止孔枠部４０と、前記係止孔枠部４０によって包囲形成された係止孔４０ａとよりなる。前記係止孔４０ａは取付板３０と平行な水平方向に貫通している。
【００２１】
また、前記取付板３０には、本発明における第２の電気的装置に相当するランプ中継基板９１とメイン中継基板９２が設けられている。従来、スペースの都合上、メイン中継基板９２は表示制御基板収納ケース２９の遊技機前方側に取り付けられており、表示制御基板から発生するノイズがメイン中継基板の電気的な接続部材に乗り、主制御基板に支障をきたす虞があった。しかし、このように、メイン中継基板９２を取付板３０に配置することにより、表示制御基板から生じるノイズにより主制御基板に支障をきたす虞を低減することが可能となる。さらに前記ランプ中継基板９１及びメイン中継基板９２には、第２の接続部材取付部に相当する受け側コネクタｃ２がそれぞれ取り付けられ、前記受け側コネクタｃ２に電気的な接続部材１１２，１１５のケーブル側コネクタｃ１が着脱自在にそれぞれ差し込まれる。前記取付板３０において第２の接続部材取付部に相当する受け側コネクタｃ２は、前記音声・ランプ制御基板収納ケース６０の取付位置及び該取付位置の近傍において、前記音声・ランプ制御基板収納ケース６０が、図７及び図８あるいは図１１のように取付状態（図示の例では取付収納状態）の際、前記音声・ランプ制御基板収納ケース６０によって覆われる領域に配設されている。
【００２２】
それに対して、前記音声・ランプ制御基板収納ケース６０は、本発明における第２の基板収納ケース及び電気的装置に相当し、横長な長方形の半透明な箱状からなり、内部に収納された音声・ランプ制御基板を外部から確認可能となっている。前記音声・ランプ制御基板には、電気的接続部材のための接続部材取付部としての受け側コネクタｃ２が取り付けられ、前記音声・ランプ制御基板収納ケース６０の表面から受け側コネクタｃ２が露出するように配設されている。さらに前記受け側コネクタｃ２は、後記のように、主制御基板収納ケース７０が重なる側の接続部材取付部配置面６０１（図９及び図１０に示す）に配置されている。
【００２３】
前記音声・ランプ制御基板収納ケース６０は、横幅方向の一端側（図示の例では右端側）の側部に前記第２の基板収納ケース取付部３３における回動支持筒部３５，３５に挿入及び抜き取り可能な、２つの支持回動ピン６１，６１が上下に所要距離離れて下向きに、かつ前記音声・ランプ制御基板収納ケース６０と略平行に形成されている。前記支持回動ピン６１，６１は、前記回動支持筒部３５，３５に挿入可能でかつ回動可能な径とされる。
【００２４】
また、前記音声・ランプ制御基板収納ケース６０における横幅方向の他端側（図示の例では左端側）の側部には、前記取付板３０の前記第２の基板収納ケース係止部３８における係止孔４０ａと解除可能に係合する係止爪６２が形成されている。なお、前記係止爪６２は、図１１に示すように弾性片の外面に係止突部６３が形成されたものからなり、前記係止突部６３の位置で前記係止孔４０ａの周縁と係合する。
【００２５】
なお、このように、前記構成によれば、遊技領域の形成された遊技盤とは異なる取付板を設け、前記取付板に基板収納ケースを取り付けると共に支持することが可能な支持部分が設けられている。それに対し、従来では、遊技盤に支持部分が形成され、遊技盤の支持部分に基板収納ケースを取り付けているため、例えば、機種変更などにより遊技盤を変更する際には、次の遊技盤に、基板収納ケースの寸法に合わせて調整を行った支持部分を取り付ける等、手間がかかることがあった。しかしながら、本実施例における前記構成によれば、機種変更などにより遊技盤を変更する際には、基板収納ケースの寸法に合わせた状態の支持部分が形成された取付板を遊技盤から取り外し、そのまま次の遊技盤に取り付ければよいため、支持部分を調整する手間が低減し、着脱作業も容易になる。さらに、取付板なども再利用することが可能であるため、資源の節約も可能である。なお、本実施例におけるこの場合の基板収納ケースは、音声・ランプ制御基板収納ケース６０が相当し、支持部分は基部３４と回動支持筒部３５，３５よりなる第２の基板収納ケース取付部３３及び基部３９と係止孔枠部４０よりなる第２の基板収納ケース係止部３８に相当する。すなわち、取付板３０に形成された第２の基板収納ケース取付部３３と第２の基板収納ケース係止部３８との寸法は、音声・ランプ制御基板収納ケース６０の幅に合わせているため、遊技盤を変更する際に第２の基板収納ケース取付部３３と第２の基板収納ケース係止部３８の寸法を変更する必要がなく、さらに遊技盤から取付板を外し、次の遊技盤に該取付板を取り付けることが可能なため、着脱作業に手間がかかる虞を低減することが可能である。
【００２６】
前記音声・ランプ制御基板収納ケース６０は、図９に示すように、略垂直に立てた状態の前記取付板３０に対して所要角度開いた状態で、前記取付板３０の上方から前記音声・ランプ制御基板収納ケース６０の支持回動ピン６１，６１を、前記取付板３０における前記第２の基板収納ケース取付部３３の回動支持筒部３５，３５に挿入して、図１０のように取り付けられる。そして、前記音声・ランプ制御基板収納ケース６０を、前記支持回動ピン６１，６１を回動中心として前記取付板３０側へ回動させ、図１１に示すように、前記音声・ランプ制御基板収納ケース６０の係止爪６２を前記取付板３０の係止孔４０ａに係合させることにより、前記音声・ランプ制御基板収納ケース６０が収納された状態で固定される。前記係止爪６２と前記係止孔４０ａとの係合は、前記音声・ランプ制御基板収納ケース６０が前記取付板３０と略平行になった際に係合可能に構成される。また前記係合状態、すなわち前記音声・ランプ制御基板収納ケース６０が前記取付板３０に対して略平行状態になった際には、図１１のように、前記取付板３０の基板収納ケース係止部３８における前記基部３９の前記面３９ａに、前記音声・ランプ制御基板収納ケース６０の係止爪６２側の端部が接触して、前記音声・ランプ制御基板収納ケース６０が前記取付板３０側から支持されるように構成されている。なお、前記音声・ランプ制御基板収納ケース６０を前記取付板３０から取り外す場合は、前記取付時と逆の作業によって行われる。
【００２７】
また、図１２の１２−Ａ図に示す本実施例のように、前記音声・ランプ制御基板収納ケース６０の着脱時に、後述する第１の基板収納ケース支持部４１とコーナー部６０ｂが干渉するのを回避して、前記音声・ランプ制御基板収納ケース６０の着脱が妨げられないようにするため、前記音声・ランプ制御基板収納ケース６０の遊技機後方側の面６０ａは、前記支持回動ピン６１，６１側のコーナー部６０ｂに切り欠き部からなる窪み部６３が形成されている。なお、同１２図における１２−Ｂ図の参考例に示す音声・ランプ制御基板収納ケース６０Ａは、前記コーナー部６０ｂに切り欠き部からなる窪み部を設けなかった場合であり、その場合には、前記音声・ランプ制御基板収納ケース６０を回動させた状態で着脱しようとすると、前記音声・ランプ制御基板収納ケース６０Ａのコーナー部６０ｂが第１の基板収納ケース支持部４１と干渉して前記着脱が妨げられる。以上の構成により、音声・ランプ制御基板収納ケース６０を一旦取り外さなくても、遊技盤２の裏面側２ａの装置類に対して点検あるいは交換などを容易にかつスムーズに行うことが可能である。また、音声・ランプ制御基板収納ケース６０を着脱する際においても、容易かつスムーズに行うことが可能である。すなわち、作業の手間がかかる虞を低減することが可能である。
【００２８】
また、本実施例の遊技機１は、前記音声・ランプ制御基板収納ケース６０が前記取付状態（図示の例では取付収納状態）の際に、前記取付板３０における前記第２の接続部材取付部としての受け側コネクタｃ２から、前記接続部材のケーブル側コネクタｃ１が外れるのを阻止する第２の基板収納ケースによる接続部材着脱規制手段を有する。本実施例における第２の基板収納ケースによる接続部材着脱規制手段は、前記取付板３０に対して前記音声・ランプ基板収納ケース６０が、図7，図８、図１１のように取付状態（取付収納状態）となった際に、図３０の（３０−Ａ，３０−Ｂ）に示すように、前記取付板３０の受け側コネクタｃ２の設けられている面から、前記音声・ランプ制御基板収納ケース６０の取付板３０と対向する面までの距離をＫ３、前記受け側コネクタｃ２の高さをＫ１、ケーブル側コネクタｃ１の高さＫ２とすると、Ｋ１＋Ｋ２＞Ｋ３となるように設定することによって、前記音声・ランプ基板収納ケース６０の取付状態（取付収納状態）時には、ケーブル側コネクタｃ１を受け側コネクタｃ２から外そうとしても、前記音声・ランプ基板収納ケース６０の取付板３０と対向する面に前記ケーブル側コネクタｃ１が衝突して外せないようにされている。また、他の方法として、前記配線部材ｈ１はハーネスのように屈曲可能であるものの、ケーブル側コネクタｃ１の付近では屈曲不可能となるため、図３０の（３０−Ｃ，３０−Ｄ）のように、前記屈曲不可能な部分の厚みをＫ４として、Ｋ１＋Ｋ２＋Ｋ４＞Ｋ３としてもよい。なお、前記音声・ランプ基板収納ケース６０が前記取付状態（取付収納状態）時以外の場合、例えば取り外した状態時や、回動状態時には、前記取付板３０の受け側コネクタｃ２から前記接続部材のケーブル側コネクタｃ１を外すことが可能となる。なお、Ｋ１＋Ｋ２＞Ｋ３あるいはＫ１＋Ｋ２＋Ｋ４＞Ｋ３の設定を維持しつつ、受け側コネクタｃ２にケーブル側コネクタｃ１を取り付けた状態の間隔よりもＫ３の間隔を多少大きくすることにより、受け側コネクタｃ２やケーブル側コネクタｃ１が破損する虞を低減することが可能である。
【００２９】
次に前記取付板３０に対する前記主制御基板収納ケース７０の取付構造について説明する。図９に示すように、前記取付板３０の前記基板収納ケース取付位置には、前記第２の基板収納ケース取付部３３と前記第２の基板収納ケース係止部３８の上方位置に、一組の第１の基板収納ケース支持部４１，４１が前記主制御基板収納ケース７０の横方向の幅と略等しい距離離れて形成されている。前記主制御基板収納ケース７０と前記第１の基板収納ケース支持部４１，４１には、以下のように、前記主制御基板収納ケース７０が予め定められた取付収納位置で取付収納状態となる取付手段と、前記取付収納位置から所定の移動範囲を移動可能であると共に前記取付収納位置とは異なる前記移動範囲にある設定保持位置で前記主制御基板収納ケース７０を設定保持状態にする設定保持手段と、前記主制御基板収納ケース７０が前記移動範囲を移動する移動手段とを備える。なお、本実施例では、前記取付収納状態は、前記音声・ランプ制御基板収納ケース６０の接続部材取付部配置面６０１に対して主制御基板収納ケース７０が略平行、すなわち上下方向に略垂直になる状態に設定され、また、前記主制御基板収納ケース７０が取付収納位置から移動可能な移動範囲は、前記主制御基板収納ケース７０が前記第１の基板収納ケース支持部４１，４１に係合する部分を軸に前記取付収納位置から遊技機後方側に向けて回動可能な円弧形状の軌跡を描くと共に、前記円弧形状において前記取付収納位置から設定保持角度回動した位置に前記設定保持位置が存在するように設定され、さらに前記移動手段は回動を可能にする手段となっている。まず、前記第１の基板収納ケース支持部４１について説明する。
【００３０】
前記第１の基板収納ケース支持部４１は、本発明における基板収納ケース支持部に相当し、本実施例では、腕部材４２と弾性片５０とで構成される。前記腕部材４２は、前記取付板３０の裏面３０ａに固定される基部が直角に屈曲した断面略Ｌ字形の金属板からなり、前記取付板３０に対して垂直に立設される。前記腕部材４２の先端部と該先端部に取り付けられた前記弾性片５０とで、前記主制御基板収納ケース７０に対する被係合部４３が形成される。図１３及び図１４に示すように、前記被係合部４３には、前記腕部材４２の先端に軸受け部４４が形成されている。前記軸受け部４４には、前記取付板３０と平行に且つ水平方向に貫通した軸受け孔４５が形成され、さらには前記軸受け孔４５の周縁の一部には軸受け孔４５の内外を通じる軸部着脱用開口からなる抜け部４６が切り欠き形成されている。前記抜け部４６は、前記主制御基板収納ケース７０の着脱方向に合致させた設定解除角度ｍ１で切り欠き形成されている。本実施例では、上下方向に沿って垂直状態とされる前記取付板３０に対して下方から上方へ１３５度の角度が設定解除角度ｍ１とされている。前記抜け部４６と後述の主制御基板収納ケース７０における軸部７６の挿入部７７の構成が本実施例では前記基板収納ケース７０に対する係合解除手段及び抜け防止手段を構成している。また、前記腕部材４２の先端と基部の中間付近には、前記弾性片５０を固定するための切り起こし爪４７とビス用孔４８が形成されている。
【００３１】
前記弾性片５０は、本実施例ではプラスチックで形成され、図１４に示すように、前記腕部材４２の外面へ固定するための固定部５７が一体に形成されている。前記弾性片５０は、前記腕部材４２の前記抜け部４６を構成する軸部着脱用開口より大きく先端５０ａが開いた弾性変形可能な略Ｃ字形からなり、前記開いた先端５０ａ間に前記抜け部４６が位置するようにして前記腕部材４２の軸受け孔４５の周縁に配置される。前記弾性片５０の先端付近の内周面には、一組の軸受け部側係合爪５１，５１が略対向するように上下に形成されている。なお、前記軸受け部側係合爪５１，５１は、前記主制御基板収納ケース７０を、後述のように設定保持角度回動した際に軸部側係合爪８１，８１と略対向する前記弾性片５０の位置に形成されている。また、前記固定部５７には切り起こし爪挿入用孔５８と、ビス挿通孔５９が形成されている。前記腕部材４２の切り起こし爪４７を前記切り起こし爪挿入用孔５８に挿入し、前記腕部材４２のビス用孔４８に前記ビス挿通孔５９を位置合わせして前記ビス挿通孔５９及び前記ビス用孔４８にビスを挿入してねじ止めすることにより前記弾性片５０が前記腕部材４２の外面所定位置に固定される。更に後述するように、主制御基板収納ケース７０を回動した際に弾性片５０に外方向の力が加わった場合においても、外方向に撓むことにより生じる弾性片５０の破損や膨張の虞を、切り起し爪４７により低減することが可能である。なお、図９及び図１１に示すように、前記取付板３０の下端には、後述の主制御基板収納ケース７０を取付収納状態（取付板に対して平行状態）にした際に主制御基板収納ケース７０を係止する第１の基板収納ケース係止爪４９が形成されている。
【００３２】
なお、このように、前記構成によれば、遊技領域の形成された遊技盤とは異なる取付板を設け、前記取付板に基板収納ケースを取り付けると共に支持することが可能な支持部分が設けられている。それに対し、従来では、遊技盤に支持部分が形成され、遊技盤の支持部分に基板収納ケースを取り付けているため、例えば、機種変更などにより遊技盤を変更する際には、次の遊技盤に、基板収納ケースの寸法に合わせて調整を行った支持部分を取り付ける等、手間がかかることがあった。しかしながら、本実施例における前記構成によれば、機種変更などにより遊技盤を変更する際には、基板収納ケースの寸法に合わせた状態の支持部分が形成された取付板を遊技盤から取り外し、そのまま次の遊技盤に取り付ければよいため、支持部分を調整する手間が低減し、着脱作業も容易になる。さらに、取付板なども再利用することが可能であるため、資源の節約も可能である。なお、本実施例におけるこの場合の基板収納ケースは、主制御基板収納ケース７０が相当し、支持部分は第１の基板収納ケース支持部４１，４１と第１の基板収納ケース係止爪４９に相当する。すなわち、取付板に形成された第１の基板収納ケース支持部４１，４１間寸法及び基板収納ケース支持部４１，４１と第１の基板収納ケース係止爪４９間の寸法は、主制御基板収納ケース７０に合わせてあるため、遊技盤を変更する際に第１の基板収納ケース支持部４１，４１間寸法及び基板収納ケース支持部４１，４１と第１の基板収納ケース係止爪４９間の寸法を調整する必要がなく、さらに遊技盤から取付板を外し、次の遊技盤に該取付板を取り付けることが可能なため、着脱作業に手間がかかる虞を低減することが可能である。
【００３３】
前記主制御基板収納ケース７０は、第１の基板収納ケースに相当し、本実施例では、図１５乃至図１７に示すように、横長な長方形の半透明な箱状のケース本体７１と、前記ケース本体７１における前記取付板３０を向く面に積層され、遮蔽板結合手段により前記ケース本体７１に分離可能に結合された金属製遮蔽板７３とよりなる。前記ケース本体７１には主制御基板が収納される。また、前記主制御基板には、前記のように、前記接続部材を着脱自在に取り付けるための接続部材取付部として受け側コネクタ（雌側コネクタ）ｃ２が取り付けられ、前記主制御基板収容ケース７０の表面に露出するように配置されている。なお、前記金属製遮蔽板７３を設けることにより、機械の様々な部分から生じるノイズ等の発生による主制御基板収納ケース７０や音声・ランプ制御基板収納ケース６０内の各制御基板の誤作動などを防止することが可能である。
【００３４】
前記ケース本体７１は、前記取付板３０を向く面である裏面７１ａにおける上下（前記主制御基板収納ケース７０の取付収納状態（前記取付板３０及び前記接続部材取付部配置面６０１に対して略平行状態）時の上下）４カ所に、ケース本体側の遮蔽板結合手段として、ケース本体側遮蔽板結合用係合部７１１が設けられている。前記ケース本体側の遮蔽板結合用係合部７１１は、ケース本体の裏面７１ａとの間に挟持空間７１１Ｓを有する略Ｌ字形の係合爪からなり、ケース本体７１の裏面７１ａに沿ってケース本体７１の左右方向から、遮蔽板７３の遮蔽板側遮蔽板結合用係合部７３１が前記挟持空間７１１Ｓに挿入係合可能にされている。
【００３５】
さらに前記ケース本体７１の裏面７１ａには、ケース本体側の取付収納状態時用遮蔽板結合解除規制手段として、ケース本体側遮蔽板結合解除規制用係合部７１３が設けられている。前記ケース本体側遮蔽板結合解除規制用係合部７１３は、上下方向に沿う直線状のリブ（突部）からなり、前記ケース本体７１の裏面７１ａにおける左右に２カ所設けられている。なお、本実施例では、前記ケース本体の裏面７１ａには、左右方向に沿う直線状のリブ（突部）７１５が平行に複数本形成されている。前記直線状リブ７１５は、前記遮蔽板７３と前記ケース本体７１の一方をスライドさせて結合及び分離を行う際に、前記遮蔽板７３の内面と直線状リブ７１５が接触して前記スライド時の摩擦抵抗を減少させ、スライドを容易にする。符号７１６は、前記ケース本体７１と前記遮蔽板７３の結合時にケース本体７１と遮蔽板７３のガタツキを防止する突部であり、前記結合時に遮蔽板７３に形成されているバネ片７３９を押圧して前記ガタツキを防ぐ。また、前記突部７１６とバネ片７３９が接触しているため、ケース本体７１の基板から発生するノイズなどを遮蔽板７３に流すことも可能である。なお、バネ片７３９は、ケース本体７１と遮蔽板７３を結合した際のケース本体７１側に向けて緩やかな傾斜を持たせて、突部７１６がバネ片７３９の傾斜部分に接触している状態となるように構成してもよい。この構成にすることにより、ケース本体７１を遮蔽板７３に対してスライドさせる場合において、突部７１６がバネ片７３９の傾斜部分に沿ってスムーズに移動する（誘導される）ため、突部７１６及びバネ片７３９にストレスが加わり難くなり、破損などの虞を低減することが可能である。さらに、バネ片７３９が傾斜を持っているため、突部７１６がバネ片７３９を押圧した状態となり、ケース本体７１と遮蔽板７３のガタツキ防止を強化することが可能であると共に基板から発生するノイズなどを確実に遮蔽板７３に流すことが可能である。
【００３６】
また、前記ケース本体７１の右側側面には、後記するように、前記主制御基板収納ケース７０が取付収納状態から遊技機の後方側へ角度を増加させるように回動した状態、あるいは前記主制御基板収納ケース７０を前記遊技機から外した状態からなる、前記ケース本体７１と前記遮蔽板７３の分離可能状態時に、前記スライドを阻止及び可能にするスライド規制用弾性係合片７１７が形成されている。前記スライド規制用弾性係合片７１７には、先端に下向きの係合爪７１８を有し、図２０に示すように、後述の遮蔽板７３の右側側壁７４ａに形成されているスライド規制用係合開口７４１の周縁に、前記ケース本体７１と前記遮蔽板７３の結合時に係合可能とされ、また前記スライド規制用弾性係合片７１７を弾性変形させることにより前記係合が解除可能とされている。
【００３７】
前記遮蔽板７３は、図１６乃至図１９に示すように、前記ケース本体７１の裏面７１ａを覆う大きさ（なお、遮蔽板７３の底面の面積は、前記ケース本体７１の裏面７１ａの面積よりも大きくされている。）からなり、前記ケース本体側遮蔽板結合用係合部７１１と対応する位置に、遮蔽板側の遮蔽板結合手段として、遮蔽板側遮蔽板結合用係合部７３１が形成されている。前記遮蔽板側遮蔽板結合用係合部７３１は、前記ケース本体側遮蔽板結合用係合部７１１の挟持空間７１１Ｓに挿入係合可能な係合爪で構成され、前記ケース本体側遮蔽板結合用係合部７１１の周縁に沿ってＬ字状の係合部配置用開口部７３１ａがケース本体側遮蔽板結合用係合部７１１を挿入配置可能に形成されている。図１８に示すように、前記係合部配置用開口部７３１ａにおけるケース本体側遮蔽板結合用係合部の先端側開口部分７３１ｂに、前記ケース本体側遮蔽板結合用係合部７１１を挿入し、ケース本体７１を右方向（又は遮蔽板７３を左方向）へスライドさせることにより、前記ケース本体側遮蔽板結合用係合部７１１の挟持空間７１１Ｓに前記遮蔽板側遮蔽板結合用係合部７３１を挿入し、図１９のように、前記ケース本体側遮蔽板結合用係合部７１１と前記遮蔽板側遮蔽板結合用係合部７３１を係合させることができ、ケース本体７１と遮蔽板７３を結合させることができる。また、前記ケース本体７１と前記遮蔽板７３の分離は、図１９に示すように、前記ケース本体７１と前記遮蔽板７３の結合状態から、図２０のように、前記スライド規制用弾性係合片７１７と遮蔽板７３のスライド規制用係合開口７４１との係合を解除し、前記ケース本体を左方向（又は右方向）へスライドさせることにより、前記遮蔽板側遮蔽板結合用係合部７３１を前記ケース本体側遮蔽板結合用係合部７１１の挟持空間７１１Ｓから前記ケース本体側遮蔽板結合用係合部の先端側開口部分７３１ｂへ移動させ、前記ケース本体側遮蔽板結合用係合部７１１と前記遮蔽板側遮蔽板結合用係合部７３１の係合を解除する。
【００３８】
また、前記遮蔽板７３には、前記直線状のリブ（突部）からなるケース本体側遮蔽板結合解除規制用係合部７１３と対応する位置に、前記ケース本体側遮蔽板結合解除規制用係合部７１３が露出する開口７３６が形成されている。前記開口７３６は、図１８のように、前記ケース本体側遮蔽板結合用係合部の先端側開口部分７３１ｂに前記ケース本体側遮蔽板結合用係合部７１１が位置する状態と、図１９のように、前記ケース本体側遮蔽板結合用係合部７１１と前記遮蔽板側遮蔽板結合解除規制用係合部７３１が係合した状態間において、前記ケース本体側遮蔽板結合解除規制用係合部７１３が露出する大きさの四角形からなる。
【００３９】
前記遮蔽板７３の開口７３６には、図７乃至図１０に示すように、前記音声・ランプ制御基板収納ケース６０の背面６０ａに形成されている基板収納ケース取り付け位置側遮蔽板結合解除規制用係合部６４が、前記主制御基板収納ケース７０の取付収納状態時に、図２１に示すように挿入されて、前記ケース本体側遮蔽板結合解除規制用係合部７１３と前記基板収納ケース取り付け位置側遮蔽板結合解除規制用係合部６４が係合する。これによって取付収納状態時には、前記ケース本体側遮蔽板結合用係合部７１１と前記遮蔽板側遮蔽板結合用係合部７３１の係合を解除する方向（図１９における左方向）への前記ケース本体７１のスライドを阻止し、前記ケース本体７１と前記遮蔽板７３の分離を阻止する。なお、図２１は、前記基板収納ケース７０の取付収納状態を示す図５及び図６における前記ケース本体側遮蔽板結合解除規制用係合部７１３の位置Ｆ−Ｆで切断した断面図である。また、前記基板収納ケース７０を取付収納状態から角度を増加させる方向へ回動させると、例えば図７及び図８のようにすると、前記音声・ランプ制御基板収納ケース６０の背面６０ａに形成されている基板収納ケース取り付け位置側遮蔽板結合解除規制用係合部６４が、前記ケース本体側遮蔽板結合解除規制用係合部７１３から離れ、前記ケース本体側遮蔽板結合解除規制用係合部７１３と前記基板収納ケース取り付け位置側遮蔽板結合解除規制用係合部６４との係合が解除され、前記ケース本体側遮蔽板結合用係合部７１１と前記遮蔽板側遮蔽板結合用係合部７３１の係合を解除する方向（図１９における左方向）への前記ケース本体７１のスライドが可能となる。なお、図１６の符号７３８は、前記ケース本体７０を前記遮蔽板７３の正しい位置に装着した際に、ケース本体７０の右側側壁と当接してケース本体位の位置決めを行う位置決め片である。なお、取付収納状態時には、音声・ランプ制御基板収納ケース６０に形成されている凹部８００に、前記４箇所のケース本体側遮蔽板結合用係合部７１１のうち１つの係合部７１１ａが嵌合し、ケース本体７１と遮蔽板７３のスライドをより確実に阻止し、前記分離の阻止をより確実に行う。また、主制御基板収納ケース７０を取付収納状態から角度を増加させる方向へ回動させると、前記凹部８００と前記係合部７１１ａの嵌合が解除される。
【００４０】
また、前記遮蔽板７３は、図１６乃至図１９及び図２２に示すように、横方向の側部の少なくとも上部（主制御基板収納ケース７０の取付収納状態における上部）が遊技機後方側へ起立して側壁７４，７４を構成し、前記遮蔽板７３の上部における前記側壁７４，７４の外面に係合部７５，７５がそれぞれ形成されている。前記係合部７５は、前記遮蔽板７３と平行な水平方向の軸部７６を備える。前記軸部７６は、前記軸受け孔４５に挿入される挿入部７７と前記軸受け孔３５に挿入されない非挿入部８０が前記軸部７６の長さ方向に隣接して設けられている。本実施例における前記軸部７６は、前記遮蔽板７３の側壁７４，７４に固定される軸部７６の基部側が前記挿入部７７、それに対して軸部７６の先端側が前記非挿入部８０とされ、前記非挿入部８０から前記挿入部７７に挿通したビスＢにより前記側壁７４の外面に固定されている。符号７８は前記軸部７６に形成されたビス挿通用孔であり、前記挿入部７７から前記非挿入部８０の外面まで一連に貫通形成されている。なお、前記遮蔽板７３の下端には、前記主制御基板収納ケース７０を取付収納状態（前記取付板３０と略平行状態）とした際に、前記取付板３０の第１の基板収納ケース係止爪４９と係合する係止部７３ａが形成されている。この第１の基板収納ケース係止爪４９と係止部７３ａにより、主制御基板収納ケース７０が取付収納状態にある場合に主制御基板収納ケース７０を取付板３０に対して固定することが可能である。
【００４１】
前記挿入部７７は、直径方向の厚み寸法が、直交する二方向Ｔ１，Ｔ２のうち一方向Ｔ１の寸法ｎ１が、他方向Ｔ２の寸法ｎ２よりも小とされている。図示の例における前記挿入部７７は、断面円形の柱状体における一直径方向の外周側面を平面７９で構成し、前記平面７９と直交する方向を前記Ｔ１とすると共に同方向Ｔ１の厚み寸法を前記ｎ１、前記平面７９と平行な方向を前記Ｔ２とすると共に同方向Ｔ２の厚み寸法を前記ｎ２とした。
【００４２】
前記軸部７６における挿入部７７の直径方向の厚み寸法と、前記取付板３０の前記第１の基板収納ケース支持部４１における前記軸受け孔４５及び前記軸部着脱用開口からなる抜け部４６の寸法的な関係を、図１３、図１４、図２２〜図２５を用いて次に示す。前記軸部７６における挿入部７７と前記軸受け孔４５については、前記挿入部７７が前記軸受け孔４５内に保持されて回動可能なように、前記挿入部７７における厚みが大方向Ｔ２の寸法ｎ２が前記軸受け孔４５の直径ｄ１と等しいあるいは僅かに大とされる。また、前記軸部７６における挿入部７７と前記軸部着脱用開口からなる抜け部４６のとの関係については、前記軸部着脱用開口からなる抜け部４６を、前記挿入部７７が前記Ｔ１方向の厚み寸法の小の部分７７ａ，７７ａで通過可能であり、前記Ｔ２方向の厚み寸法大の部分７７ｂ，７７ｂで通過不可となるように、前記抜け部４６を構成する前記軸部着脱用開口の開口寸法ｅ１と、前記挿入部７７におけるＴ１方向の厚み寸法ｎ１及びＴ２方向の厚み寸法ｎ２が、ｎ１≦ｅ１＜ｎ２、とされる。ｅ１とｄ１の関係は、ｅ１＜ｄ１、である。なお、前記抜け部４６及び前記軸部７６の挿入部７７における厚み寸法大の方向Ｔ２が前記基板収納ケース７０に対して平行（前記基板収納ケース７０の上下幅方向と平行）とされ、前記厚み寸法小の方向Ｔ１が前記基板収納ケース７０に対して垂直（前記厚み寸法小の方向Ｔ１が前記基板収納ケース７０厚み方向）とされる。なお、以上の構成が本請求項の係合解除手段及び抜け防止手段に相当する。すなわち、主制御基板収納ケース７０を取り付け収納状態と着脱状態時（本実施例では１３５度の設定解除角度状態時）の間を回動した場合においても、主制御基板収納ケース７０を取付板３０から取り外すことが不可能であり、着脱状態時（本実施例では１３５度の設定解除角度状態時）に主制御基板収納ケース７０を取付板３０において着脱することが可能な構成である。
【００４３】
前記軸部７６における前記非挿入部８０は、本実施例では前記軸部７６の外側端部に設けられた略円盤状からなり、外周に軸部側係合爪８１，８１と、仮保持爪８５，８５が所定間隔で形成されている。
【００４４】
前記軸部側係合爪８１は、図６、図７及び図２７の２７−Ａ図に示すように、前記主制御基板収納ケース７０を設定保持角度ｍ２の固定保持位置、本実施例では前記垂直の取付板３０に対して９０度となる水平状態に保持可能にするものであり、図２３〜図２４の２４−Ａ図に示すように、前記主制御基板収納ケース７０が前記設定保持角度（本実施例では９０°）より大の角度位置から小の角度位置へ向けて角度減少方向に回動する際、前記設定保持角度（本実施例では９０°）に至った時に、前記取付板３０における前記第１の基板収納ケース支持部４１に設けられている前記弾性片５０の軸受け部側係合爪５１と係合して、前記主制御基板収納ケース７０がさらに下方へ回動するのを阻止して保持固定する。また、逆方向への回動、すなわち、前記設定保持角度（本実施例では９０°）より小の角度位置から大の角度位置へ向けて角度増加方向に前記主制御基板収納ケース７０を回動させる際には、前記設定保持角度（本実施例では９０°）位置で前記軸部側係合爪８１が前記弾性片５０の軸受け部側係合爪５１と係合を生じず、前記主制御基板収納ケース７０を更に角度増加方向へ回動可能にする。なお、前記軸部側係合爪８１、前記弾性片５０、前記軸受け部側係合爪５１によって回動規制手段を以下のように構成する。なお、ここで角度増加方向とは、主制御基板収納ケース７０を取付収納状態から着脱状態（本実施例では１３５度の設定解除角度状態）まで開く方向であり、角度減少方向とは、角度増加方向と逆、すなわち、主制御基板収納ケース７０を着脱状態（本実施例では１３５度の設定解除角度状態）から取付収納状態へ閉じる方向を意味する。
【００４５】
前記主制御基板ケース７０の回動及び前記設定保持角度ｍ２（本実施例では９０°）での保持固定を可能とするため、前記軸部側係合爪８１と前記軸受け部側係合爪５１は次の構成からなる。
【００４６】
前記軸部側係合爪８１と前記軸受け部側係合爪５１は、前記主制御基板収納ケース７０が前記設定保持角度ｍ２より小の角度から大の角度へ回動して前記設定保持角度ｍ２を超える際に互いに衝突する回動角度増加時衝突面８２，５２と、前記主制御基板収納ケース７０が前記設定保持角度ｍ２より大の角度から小の角度へ回動して前記設定保持角度ｍ２に至った際に互いに衝突する回動角度減少時衝突面８３，５３を有する。
【００４７】
前記回動角度増加時衝突面８２，５２は、前記主制御基板収納ケース７０が角度増加方向へ回動して前記設定保持角度ｍ２の位置で衝突した際に、前記軸部側係合爪８１が前記軸受け部側係合爪５１を容易に乗り越えて前記主制御基板収納ケース７０が更に回動可能な緩い傾斜（緩い円弧を含む）で構成されている。なお、前記緩やかな傾斜の程度は、前記角度増加方向へ前記主制御基板収納ケース７０が回動して前記設定保持角度ｍ２を超える際に、前記弾性片５０の弾性変形によって前記軸部側係合爪８１が前記軸受け部側係合爪５１を容易に乗り越え可能な範囲で傾斜角度（円弧状態を含む）が、例えば６０°以下等の範囲で決定される。以上の緩やかな傾斜と弾性片５０の材質の特徴（例えば撓みなどの利用）により、比較的大きな力を加えることなくスムーズに角度増加方向へ主制御基板収納ケース７０を前記設定保持角度まで回動することが可能であり、弾性片５０等に大きな力が加わることにより破損する虞を低減することが可能である。
【００４８】
それに対して、前記回動角度減少時衝突面８３，５３は、前記主制御基板収納ケース７０が前記設定保持角度ｍ２より大の角度から小の角度へ回動して前記設定保持角度ｍ２に至った際に、前記軸部側回動角度減少時衝突面８３が前記軸受け部側回動角度減少時衝突面５３と係合して、前記軸部側係合爪８１が前記軸受け部側係合爪５１を乗り越え難いように、急な傾斜（円弧を含む）で構成されている。具体的には、前記回動角度減少時衝突面８３，５３は、前記制御基板収納ケース７０が自重で前記設定保持角度ｍ２（本実施例では９０度）から下方（角度減少方向）へ自由回動するのを阻止可能な程度の急な傾斜とされ、さらには前記設定保持角度ｍ２で保持固定されている前記主制御基板収納ケース７０に、下方への回動力を作業者が加えることにより、前記主制御基板収納ケース７０に自重による回動力よりも更なる大きな回動力が加わった際に、前記弾性片５０の弾性変形によって前記軸部側係合爪８１が前記軸受け部側係合爪５１を乗り越え可能な傾斜、例えば約７０〜９０度の範囲で決定される。なお、前記弾性片５０の剛性については、前記設定保持角度での前記主制御基板収納ケース７０の保持固定や、前記回動角度増加方向への前記主制御基板収納ケース７０の回動時における前記設定保持角度を超える回動を可能にする剛性とされる。
【００４９】
さらに本実施例では、前記取付板３０と平行な取付収納状態で前記主制御基板収納ケース７０を仮保持する仮保持爪８５が前記軸部７６における前記非挿入部８０の軸部側係合爪８１，８１間に形成されている。前記仮保持爪８５は、前記主制御基板収納ケース７０が前記平行な取付収納状態時に、前記弾性片５０の軸受け部側係合爪５１と衝突して前記主制御基板収納ケース７０を保持し、前記主制御基板収納ケース７０に角度増加方向へ回動させる力を加えることにより、前記弾性片５０の軸受け部側係合爪５１を乗り越え、前記主制御基板収納ケース７０の回動を可能にする。なお、前記仮保持爪８５は緩やかな傾斜に構成されていることと弾性片５０の材質の特徴（例えば、撓みなどの利用）により、比較的大きな力を加えることなくスムーズに角度増加方向あるいは角度減少方向へ主制御基板収納ケース７０を前記平行な取付収納状態あるいは前記設定保持角度まで回動することが可能であり、弾性片５０等に大きな力が加わることにより破損する虞を低減することが可能である。また、前記仮保持爪８５と第１の基板収納ケース係止爪４９と係止部７３ａにより、主制御基板収納ケース７０を取付板３０に対して確実に固定して取付収納することが可能となる。なお、本実施例における、前記設定保持角度ｍ２において主制御基板収納ケース７０を固定するための軸部側係合爪８１と前記平行の取付収納状態時に主制御基板収納ケース７０を仮保持するための仮保持爪８５を設けた構成以外に、軸部側係合爪８１と仮保持爪８５間に中間保持爪を設けて、中間保持爪と軸受け部側係合爪５１を衝突させることにより、平行の取付収納状態時と前記設定保持角度ｍ２間の任意の角度（例えば３０度）の位置において主制御基板収納ケース７０を仮固定するようにしてもよい。
【００５０】
また、本実施例では、前記主制御基板収納ケース７０が前記取付収納状態の際には、前記接続部材取り付け部としての受け側コネクタｃ２から前記接続部材が外れるのを阻止する接続部材着脱規制手段を備える。前記接続部材着脱規制手段は、前記主制御基板収納ケース７０が取付収納状態の際に、前記音声・ランプ制御基板収容ケース６０の接続部材取付部配置面６０１と、前記主制御基板収納ケース７０の前記接続部材取付部配置面６０１と対向する対向面（遊技機前方側となる裏面）、すなわち本実施例では図４に示すように遮蔽板７３の裏面７３ｂとの間隔を、前記受け側コネクタｃ２に取り付けられた前記接続部材のケーブル側コネクタｃ１が外れるのを妨げる間隔とし、前記主制御基板収納ケース７０が前記取付収納位置以外の少なくとも設定保持位置である際には、前記接続部材取付部配置面６０１と前記対向面（遮蔽板７３の裏面７３ｂ）との間隔を、前記受け側コネクタｃ２に取り付けられた前記接続部材のケーブル側コネクタの外れるのを可能な間隔にした構成からなる。具体的には、前記主制御基板収納ケース７０が前記取付収納状態の際、図３０の（３０−Ａ，３０−Ｂ）に示すように、前記受け側コネクタｃ２に取り付けられた前記音声・ランプ制御基板収容ケース６０の接続部材取付部配置面６０１から、前記主制御基板収納ケース７０における遮蔽板７３の裏面７３ｂまでの距離をＫ３、前記受け側コネクタｃ２の高さをＫ１、ケーブル側コネクタｃ１の高さＫ２とすると、Ｋ１＋Ｋ２＞Ｋ３となるように設定することによって、前記主制御基板収納ケース７０の取付収納状態時には、ケーブル側コネクタｃ１を受け側コネクタｃ２から外そうとしても、前記主制御基板収納ケース７０における遮蔽板７３の裏面に前記ケーブル側コネクタｃ１が衝突して外せないようにされている。また、他の方法として、前記配線部ｈ１はハーネスのように屈曲可能であるものの、ケーブル側コネクタｃ１の付近では屈曲不可能となるため、図３０の（３０−Ｃ，３０−Ｄ）のように、前記屈曲不可能な部分の厚みをＫ４として、Ｋ１＋Ｋ２＋Ｋ４＞Ｋ３としてもよい。なお、Ｋ１＋Ｋ２＞Ｋ３あるいはＫ１＋Ｋ２＋Ｋ４＞Ｋ３の設定を維持しつつ、受け側コネクタｃ２にケーブル側コネクタｃ１を取り付けた状態の間隔よりもＫ３の間隔を多少大きくすることにより、受け側コネクタｃ２やケーブル側コネクタｃ１が破損する虞を低減することが可能である。また、前記主制御基板収納ケース７０が前記取付収納位置以外において、少なくとも設定保持位置の場合には、前記音声・ランプ制御基板収容ケース６０の接続部材取付部配置面６０１から、前記主制御基板収納ケース７０における遮蔽板７３の裏面７３ｂまでの距離をＫ３’とすると、Ｋ１＋Ｋ２＜Ｋ３’となり、前記音声・ランプ制御基板収容ケース６０の受け側コネクタｃ２から前記接続部材のケーブル側コネクタｃ１を外すことが可能となる。
【００５１】
前記主制御基板収納ケース７０の取付は、まず、前記音声・ランプ制御基板収納ケース６０を前記取付板３０に取り付けた後に、図２６の２６−Ａ及び２６−Ｂのように、前記主制御基板収納ケース７０を前記取付板３０に対して設定解除角度ｍ１（本実施例では１３５度）の係合解除位置として、前記取付板３０の軸受け部４４の抜け部４６から軸受け穴４５に、前記主制御基板収納ケース７０の軸部７６における挿入部７７を挿入する（図２３の２３−Ａ）。そして、前記主制御基板収納ケース７０を下方へ回動させる（図２３の２３−Ｂ）。その際、図２７の２７−Ａに示す前記設定保持角度ｍ２（本実施例では９０度）位置（設定保持位置）に至ると、図２４の２４−Ａに示すように、前記軸受け部側係合爪５１と軸部側係合爪８１が係合して前記主制御基板収納ケース７０が保持固定される。なお、前記設定解除角度状態（図２６の２６−Ｂ）から設定保持角度状態（図２７の２７−Ａ）の位置においては、前記音声・ランプ制御基板収納ケース６０における受け側コネクタｃ２に取り付けられたケーブル側コネクタｃ１は、前記主制御基板収納ケース７０に阻止されることなく外すことが可能である。さらに、前記設定保持位置で設定保持固定状態にある前記主制御基板収納ケース７０の先端側を下方へ押して、前記主制御基板収納ケース７０を下方へ回動させる（図２４の２４−Ｂ）。そして、図２７の２７−Ｂのように前記仮保持爪８５が軸部受け部側係合爪５１を乗り越えて仮保持される状態となり、それにより前記主制御基板収納ケース７０は前記取付板３０と平行の取付収納位置に配置され、取付収納状態とされる（図２５）。前記取付収納状態の位置では、前記第１の基板収納ケース係止爪４９に前記主制御基板収納ケース７０の係止部７３ａを係合させ、前記主制御基板収納ケース７０を固定する。これによって、前記主制御基板収納ケース（第１の基板収納ケース）７０が前記音声・ランプ制御基板収納ケース（第２の基板収納ケース）に重ねて配置される。前記主制御基板収納ケース７０が取付収納状態（図２７−Ｂ）にあっては、前記音声・ランプ制御基板収納ケース６０における受け側コネクタｃ２に取り付けられたケーブル側コネクタｃ１は、受け側コネクタｃ２から外れようとしても、前記主制御基板収納ケース７０の裏側（遮蔽板７０の裏面）と衝突して外れるのが阻止される。
【００５２】
それに対して、前記主制御基板収納ケース７０を取り外す際には、図２７の２７−Ｂに示す前記取付収納状態において、前記第１の基板収納ケース係止爪４９と前記主制御基板収納ケース７０の係止部７３ａの係合を解除し、前記主制御基板収納ケース７０を前記取付収納位置から上方へ回動させる。そして、前記設定保持角度ｍ２（本実施例では９０度の設定保持位置）を超えて、図２６の２６−Ｂに示す設定解除角度ｍ１（本実施例では１３５度）の係合解除位置まで回動させる（図２３の２３−Ａ）。これによって、前記軸受け部４４の前記抜け部４６と、前記主制御基板収納ケース７０の軸部７６における挿入部７７が合致する。そして、前記設定解除角度ｍ１（本実施例では１３５度）の係合解除位置にある前記主制御基板収納ケース７０を、図２６の２６−Ａのように前記取付板３０から離す方向へ引き、前記軸受け部４４の軸受け穴４５から、前記主制御基板収納ケース７０の軸部７６における挿入部７７を抜き取る。
【００５３】
また、前記音声・ランプ制御基板収納ケース６０の検査を行う際には、前記主制御基板収納ケース７０を、図２７の２７−Ａに示すように、前記取付収納状態から前記設定保持角度ｍ２（本実施例では９０度）まで回動して、前記設定保持角度ｍ２で前記主制御基板収納ケース７０を保持固定する。これによって、前記音声・ランプ制御基板収納ケース６０が露出し、その状態で前記音声・ランプ制御基板収納ケース６０の検査が可能となる。なお、前記主制御基板７０を設定保持角度ｍ２に保持固定した状態で、あるいは前記設定保持角度ｍ２より大の方向へ回動させた状態で、または前記主制御基板７０を前記取付板３０から外した状態で、図１０に示すように、前記音声・ランプ制御基板収納ケース６０を回動させれば、前記取付板３０の前記開口部３１，３２から、遊技盤２の裏面側が露出し、遊技盤裏側の装置等を検査することができる。以上まとめると、基板収納ケース（本実施例では主制御基板収納ケース７０）が、予め定められた取付収納位置に配置されて（本実施例では平行な取付収納状態にされて）、前記取付収納位置から角度増加方向（本実施例では平行な取付収納状態から着脱状態へ開く方向）へ回動し、設定保持角度（本実施例ではｍ２、詳しくは９０度）を有する固定保持位置で基板収納ケースを固定保持することが可能であり、更に固定保持位置から角度増加方向へ回動し、設置解除角度（本実施例ではｍ１、詳しくは１３５度）を有する係合解除位置で基板収納ケースを着脱することが可能であり、基板収納ケースが係合解除位置の設定解除角度とは異なる角度（詳しくは１３５度以外）の位置においては抜け防止手段により基板収納ケースの抜けを防止している。
【００５４】
また、図２８の２８−Ａに示すように、前記主制御基板収納ケース７０を前記設定解除角度（本実施例では１３５度）まで上方へ回動させると、前記主制御基板収納ケース７０の上方位置にある前記表示制御基板収納ケース２９と前記主制御基板収納ケース７０がＪの部分で衝突し、前記主制御基板収納ケース７０の取り外し作業がしづらい場合には、次のようにする。すなわち、図２９の２９−Ａに示す取付収納状態から、前記主制御基板収納ケース７０を角度の増加する上方へ回動させて図２９の２９−Ｂに示す設定保持角度（本時実施例では９０度の水平な設定保持位置）とし、次に、その状態で前記ケース本体７１を前記分離方向（本実施例では左方向）へスライドさせて図２９の２９−Ｃのように前記ケース本体７１を前記遮蔽板７３から分離させる。その後、図２８の２８−Ｂのように、前記遮蔽板７３をさらに角度の増加する上方へ回動させて前記設定解除角度（本実施例では１３５度）にし、図２８の２８−Ｃのように前記遮蔽板７３を外す。その際、遮蔽板７３にはケース本体７１が存在しないため、前記表示制御基板収納ケース２９に邪魔されることなく前記遮蔽板７３を外すことができる。なお、本実施例では、設定保持角度において、ケース本体７１を遮蔽板７３から分離させる構成にしているが、それに限るものではなく、取付収納状態時以外であり、取り外し作業がしづらくない角度であれば、どの角度でケース本体７１を遮蔽板７３から分離させてもよい。
【００５５】
図３１は、他の実施例に係る第１の基板収納ケース支持部２４１を示すものである。この例における第１の基板収納ケース支持部２４１においては腕部材２４２と弾性片２５０からなる。前記腕部材２４２は図１３等に示した腕部材４２と略同様の構成からなるが、外面に切り起し片からなる下向きに開口した挟持部２４３と、第１の位置固定凸部２４４、第２の位置固定凸部２４５、第３の位置固定部２４６が形成されている点で相違する。符号２４７は軸受け孔、２４８は抜け部、２４９は弾性片２５０をビス止めするためのビス止め用孔で前記第１の位置決め凸部２４４と第２の位置決め凸部２４５間に形成されている。それに対し、前記弾性片２５０は、前記腕部材２４２の挟持部２４３へ挿入係止されて前記ビス止め孔２４９にビス止めされる固定部２５７に、上方へ向けて開放された円弧状片２５２が形成され、前記円弧状片２５２の先端側に上向きの軸受け部側係合爪２５１を有するものからなり、前記円弧状片２５２には外周側で膨出した補強部２５３が設けられている。前記弾性片２５０は前記固定部２５７が前記腕部材２４２の挟持部２４３に挿入されてビス２５９で固定されることによって、前記第１の位置固定凸部２４４が前記固定部２５７と前記円弧状片２５２との境界近くにおいて固定部２５７の下辺に略接触し、また第２の位置固定凸部２４５が円弧状片２５２とは反対側の固定部２５７の先端側下辺に略接触し、第３の位置固定凸部２４６が円弧状片２５２とは反対側の固定部２５７の先端側垂直辺に略接触している。このように構成された第１の基板収納ケース支持部２４１は、図３１の３１−Ｄに示すように、弾性片２５０に上方から力が加わると、前記弾性片５０が前記ビス２５９を軸として下方へ回転し、前記挟持部２４３の上部や第１の位置固定凸部２４４及び第３の位置固定凸部２４６と前記固定部２５７の外周で衝突して弾性片５０が確実に固定され、弾性片５０が不意に外れることを防止するため、前記主制御基板収納ケース７０を所定位置に保持することができる。また、前記第１の基板収納ケース支持部２４１は、図３１の３１−Ｅに示すように、弾性片２５０に下方から力が加わると、前記弾性片５０が前記ビス２５９を軸として上方へ回転し、前記挟持部２４３の上部や第２の位置固定凸部２４５及び第３の位置固定凸部２４６と前記固定部２５７の外周で衝突して弾性片５０が確実に固定され、弾性片５０が不意に外れることを防止するため、前記主制御基板収納ケース７０を所定位置に保持することができる。
【００５６】
また、図２３等に示した上下の２箇所に軸受け部側係合爪５１を設けた略Ｃ字形からなる弾性片５０においては、製造段階でＣ字形にするのが難しい場合があったり、前記設定解除角度を１３５度よりも大に設定したい場合には、上の軸受け部側爪５１が邪魔になったりするなどの問題を生じ易いが、前記構成の弾性片２５０によれば、それらの問題を解決することができる。
【００５７】
また、前記実施例では、前記主制御基板収納ケース７０の設定保持位置は、設定保持角度が９０度の一箇所であったが、複数位置であってもよい。図３２乃至図３６に示す例は、主制御基板収納ケースの設定保持位置が、第１の設定保持位置（この例では第１の設定保持角度４５度）と、第２の設定保持位置（この例では第２の設定保持角度９０度）の二箇所の場合である。図示の例では、前記円弧状の弾性片２５０を有する第１の基板収納ケース支持部２４１を用いている。この場合、前記主制御基板収納ケース７０の両側部に設けられた係合部２７５は、図２２等に示した前記係合部７５と略同様の構成からなり、前記係合部７５における軸部側係合爪８１に対して、軸部側第１係合爪２８１と軸部側第２係合爪２８２を有する点で相違する。符号２７６は軸部、２７７は挿入部、２７８は非挿入部、２８５は仮保持爪である。
【００５８】
この実施例では、主制御基板収納ケース７０が取付収納状態時には図３２に示すように、前記係合部７５の仮保持爪２８５を前記弾性片の軸受け部側係合爪２５１が乗り越えた状態となって主制御基板収納ケース７０が略垂直となる。その際、前記係合部２７５の挿入部２７７は、前記腕部材２４１の抜け部２４８から抜けない向きとなっていて、主制御基板収納ケース７０が取り外せない状態にある。また、前記取付収納状態から主制御基板収納ケース７０を上方へ４５度回動させた第１の設定保持位置の状態では、図３３に示すように、前記軸部側第１係合爪２８１と前記弾性片の軸受け部側係合爪２５１が係合し、主制御基板収納ケース７０が保持固定される。これによって、電気的装置のうち少なくとも前記接続部材取付部（受け側コネクタｃ２）を有する第１露出領域、すなわち、それまで前記主制御基板収納ケース７０が重なった状態にあって記主制御基板収納ケース７０により覆われていた前記音声・ランプ制御基板収納ケース６０の受け側コネクタｃ２を含む第１露出領域が露出する。この時にも、前記係合部２７５の挿入部２７７は、前記腕部材２４１の抜け部２４８から抜けない向きとなっていて、主制御基板収納ケース７０が取り外せない状態にある。さらに、主制御基板７０を上方へ回動させて９０度の第２の設定保持位置となった状態では、図３４に示すように、前記軸部側第２係合爪２８２と前記弾性片の軸受け部側係合爪２５１が係合し、主制御基板収納ケース７０が保持固定される。これによって前記第１露出領域を含みかつ前記第１露出領域よりも広い第２露出領域、すなわち前記前記音声・ランプ制御基板収納ケース６０における広い範囲が露出する。この時にも、前記係合部２７５の挿入部２７７は、前記腕部材２４１の抜け部２４８から抜けない向きとなっていて、主制御基板収納ケース７０が取り外せない状態にある。このように、複数の設定保持角度を設けたことにより、例えば、音声・ランプ制御基板収納ケース６０の下側（遊技機前方側）の接続部材のみを着脱したい場合には、主制御基板収納ケース７０を４５度で保持すればよいし、また音声・ランプ制御基板収納ケース６０を回動する、あるいは着脱する場合には、主制御基板収納ケース７０を９０度で保持すればよい等、用途に応じて主制御基板収納ケース７０を保持することが可能である。
【００５９】
さらに、主制御基板収納ケース７０を上方へ回動させて図３５のように１３５度の位置となった状態では、前記主制御基板収納ケース７０の上方位置にある表示制御基板収納ケース２９と前記主制御基板収納ケース７０のケース本体７１が衝突して、主制御基板収納ケース７０を、それ以上上方へ回動させられなくなる場合がある。この時にも前記係合部２７５の挿入部２７７は、前記腕部材２４１の抜け部２４８から抜けない向きとなっていて、主制御基板収納ケース７０が取り外せない状態にある。その場合は、前記第１の設定保持位置（４５度）あるいは第２の設定保持位置（９０度）で前記主制御基板収納ケース７０を保持して、前記ケース本体７１を遮蔽板７３から取り外し、その後に遮蔽板７３を上方へ回動させて図３６のように設定解除角度位置（１４０度）にする。これによって、前記係合部２７５の挿入部２７７が、前記腕部材２４１の抜け部２４８と一致し、前記遮蔽板７３が取り外し可能となる。
【００６０】
図３７に示すように、前記取付板３０の上部に遊技機後面側へ突出した平板３０１を設けてもよい。これにより、従来であれば、遊技機１を開いた際に、遊技球が落下して取付板３０と音声・ランプ制御基板収納ケース６０間に入り、音声・ランプ制御基板収納ケースを外さない限り、遊技球が取れない虞があったが、落下する遊技球を平板３０１で受け止め、前記取付板３０と音声・ランプ制御基板収納ケース６０間に入るのを防ぐことが可能となる。
【００６１】
以上、前記実施例を概念的にまとめると以下の通りである。
（１）機械の基板収納ケース取付位置に形成された基板収納ケース支持部に、基板収納ケースを取り外し可能に取り付ける基板収納ケースの取付構造において、
前記基板収納ケース支持部には被係合部が形成されると共に前記基板収納ケースには前記基板収納ケース支持部の被係合部に解除可能に係合する係合部が形成され、
前記被係合部又は係合部の何れか一方には軸部が形成され、他方には前記軸部が挿入されて回動可能に保持すると共に前記軸部を抜くことが可能な抜け部を有する軸受け部が形成され、
前記軸部及び前記軸受け部には、前記基板収納ケースが取付収納状態から設定保持角度回動した位置で互いに係合して前記基板収納ケースを前記設定保持角度で保持する回動規制手段と、前記基板収納ケースが設定解除角度回動した位置で前記軸部が前記抜け部に合致して前記基板収納ケースを取り外すことが可能な係合解除手段とが設けられ、
該機械の稼動するための制御を行う電気的装置を備えると共に前記電気的装置には前記電気的装置内或いは前記電気的装置と他の電気的装置同士を電気的に接続可能な接続部材を着脱自在に取り付けることが可能な接続部材取付部を設けており、
前記接続部材取付部は前記基板収納ケースが前記取付収納状態の際に前記基板収納ケース取付位置及び該取付位置の近傍において前記基板収納ケースで覆われる領域に配設されており、
前記基板収納ケースが前記取付収納状態の際には前記接続部材取付部から前記接続部材が外れることを阻止する一方、少なくとも前記設定保持角度に位置する際には前記接続部材が外れることを可能とする接続部材着脱規制手段を備えたことを特徴とする基板収納ケースの取付構造である。
【００６２】
（２）前記（１）に係る基板収納ケースの取付構造であり、前記設定保持角度は少なくとも２つの第１の設定保持角度と第２の設定保持角度を有し、前記基板収納ケースが前記第１の設定保持角度にある場合には電気的装置のうち少なくとも前記接続部材取付部を有する第１露出領域が露出し、前記第２の設定保持角度にある場合には前記第１露出領域を含みかつ前記第１露出領域よりも広い第２露出領域が露出される構成であることを特徴とする基板収納ケースの取付構造。
【００６３】
（３）前記（１）又は（２）に係る基板収納ケースの取付構造であり、前記接続部材着脱規制手段は、前記基板収納ケースが前記取付収納状態の際には、前記基板収納ケースが前記電気的装置のうち少なくとも前記接続部材取付部上を覆うように積層配置されると共に、前記電気的装置のうち前記接続部材取付部が配置された接続部材取付部配置面と前記基板収納ケースのうち前記接続部材取付部配置面と対向する対向面との間隔を、前記接続部材取付部に取り付けられた前記接続部材が外れるのを妨げる間隔とし、前記基板収納ケースが前記取付収納位置以外の少なくとも前記設定保持位置である際には、前記接続部材取付部配置面と前記対向面との間隔が、前記接続部材取付部に取り付けられた前記接続部材が外れるのを可能な間隔にした構成からなることを特徴とする基板収納ケースの取付構造。
【００６４】
（４）前記（３）に係る基板収納ケースの取付構造であり、前記基板収納ケースの前記取付収納状態時には、前記基板収納ケースが前記接続部材取付部配置面に対して略平行となることを特徴とする基板収納ケースの取付構造。
【００６５】
（５）前記（１）から（４）の何れか一に係る基板収納ケースの取付構造であり、前記接続部材は配線部材と前記配線部材の端部に取り付けられたケーブル側コネクタとより構成されると共に前記接続部材取付部は前記ケーブル側コネクタが取り外し可能に差し込むことが可能な受け部側コネクタを有することを特徴とする基板収納ケースの取付構造。
【００６６】
（６）前記（１）から（５）の何れか一に係る基板収納ケースの取付構造であり、前記電気的装置は制御を行うための制御基板を備えており、前記接続部材取付部は前記制御基板に設けられたことを特徴とする基板収納ケースの取付構造。
【００６７】
（７）前記（１）から（５）の何れか一に係る基板収納ケースの取付構造であり、前記回動規制手段は、前記基板収納ケースが前記設定保持角度より小の角度位置から角度増加方向への回動に対して前記設定保持角度の位置で前記係合を生じず、前記設定保持角度より大の回動位置から角度減少方向への回動に対して前記設定保持角度の位置で前記係合を生じることを特徴とする基板収納ケースの取付構造。
【００６８】
（８）前記（１）から（７）の何れか一に係る基板収納ケースの取付構造であり、前記軸受け部には、前記軸部を回動可能に保持する軸受け孔を備えると共に、前記軸受け孔の周縁の一部に、前記軸部の通過可能な軸部着脱用開口からなる前記抜け部が前記軸受け孔の内外と通じるように切り欠き形成されており、前記基板収納ケースは前記切り欠き方向に沿って着脱することを特徴とする基板収納ケースの取付構造。
【００６９】
（９）前記（８）に係る基板収納ケースの取付構造であり、前記軸部において前記軸受け孔に挿入される挿入部の直径方向の厚み寸法は、直交する二方向のうち一方向が他方向より小とされ、前記係合解除手段は、前記軸受け部の軸部着脱用開口が、前記軸部を前記厚み寸法の小の部分で通過可能とする一方、前記厚み寸法の大部分で通過不可とする大きさからなることを特徴とする基板収納ケースの取付構造。
【００７０】
（１０）前記（９）に係る基板収納ケースの取付構造であり、前記基板収納ケース支持部の前記被係合部に前記軸受け部が形成され、前記基板収納ケースの前記係合部に前記軸部が形成されると共に前記軸部の厚み寸法大の方向が、前記基板収納ケースに対して略平行とされ、前記軸部の厚み寸法小の方向が前記基板収納ケースに対して略垂直であることを特徴とする基板収納ケースの取付構造。
【００７１】
（１１）前記（１０）に係る基板収納ケースの取付構造であり、前記軸受け部における前記軸部着脱用開口が、前記基板収納ケースの設定保持角度より大の前記設定解除角度の位置に形成されていることを特徴とする基板収納ケースの取付構造。
【００７２】
（１２）前記（８）から（１１）の何れか一に係る基板収納ケースの取付構造であり、  前記軸部には前記軸受け孔に挿入される挿入部と前記軸受け部に挿入されない非挿入部が前記軸部の長さ方向に隣接して設けられ、
前記回動規制手段は、前記軸部の非挿入部の外周に設けられた軸部側係合爪と、前記軸部の非挿入部の外周に対向するようにして前記軸受け部に形成された弾性片と、前記基板収納ケースを前記設定保持角度回動した際に前記軸部側係合爪と略対向する前記弾性片の位置に形成された軸受け部側係合爪とを備え、
前記軸部側係合爪及び前記軸受け部側係合爪は、前記基板収納ケースが前記設定保持角度より小の角度から大の角度へ回動して前記設定保持角度を超える際に互いに衝突する回動角度増加時衝突面と、前記基板収納ケースが前記設定保持角度より大の角度から小の角度へ回動して前記設定保持角度に至った際に互いに衝突する回動角度減少時衝突面をそれぞれ備え、
前記回動角度増加時衝突面は、前記基板収納ケースが前記設定保持角度より小の角度から大の角度への回動によって前記設定保持角度より小の側から衝突する係合爪が他方の係合爪を乗り越え易いように緩い傾斜で構成され、
前記回動角度減少時衝突面は、前記基板収納ケースが前記設定保持角度より大の角度から小の角度への回動によって前記設定保持角度より大の側から衝突する係合爪が他方の係合爪を乗り越え難いように急な傾斜で構成され、
前記基板収納ケースが前記設定保持角度より大の角度から小の角度方向への回動により前記両係合爪が衝突した後に、前記基板収納ケースに同方向へ更なる大きな回動力が加わった際に、前記弾性片が弾性変形して前記設定保持角度より大の側から衝突する係合爪が他方の係合爪を乗り越えるのを可能に構成されたことを特徴とする基板収納ケースの取付構造。
【００７３】
（１３）前記（１）から（１２）の何れか一に係る基板収納ケースの取付構造であり、前記基板収納ケースの取付収納状態が上下方向に沿う垂直状態であることを特徴とする基板収納ケースの取付構造。
【００７４】
（１４）前記（１）から（１３）の何れか一に係る基板収納ケースの取付構造であり、前記基板収納ケース取付位置に取り付けられる取付板に、前記基板収納ケース支持部が前記基板収納ケースの幅と略等しい距離離れて一組立設され、
前記基板収納ケースの幅方向両側の上部に前記係合部が一組設けられていることを特徴とする基板収納ケースの取付構造。
【００７５】
（１５）前記（１）から（１４）の何れか一に係る基板収納ケースの取付構造であり、前記基板収納ケース取付位置には前記電気的装置として第２の基板収納ケースが取り付けられ、前記第２の基板収納ケースに前記基板収納ケースが第１の基板収納ケースとして積み重なるように配置され、
前記第２の基板収納ケースにおける前記第１の基板収納ケースが重なる側に前記接続部材取付部が設けられていることを特徴とする基板収納ケースの取付構造。
【００７６】
（１６）前記（１）から（１５）の何れか一に係る基板収納ケースの取付構造であり、前記基板収納ケースは、基板を収納するケース本体と前記ケース本体に取り外し可能に取り付けられた遮蔽板からなると共に、前記ケース本体と前記遮蔽板には、係合により前記遮蔽板と前記ケース本体を結合し、係合解除により前記遮蔽板と前記ケース本体を分離可能とする遮蔽板結合手段を備え、前記ケース本体と遮蔽板の何れか一方には、前記基板収納ケース支持部の被係合部に解除可能に係合する係合部が形成され、
前記機械の基板収納ケース取り付け位置と前記基板収納ケースには、前記基板収納ケースの取付収納状態時に前記遮蔽板結合手段の係合解除を阻止し、前記基板収納ケースが取付収納状態から回動した状態時に前記遮蔽板結合手段の係合解除を可能にする取付収納状態時用遮蔽板結合解除規制手段を備えていることを特徴とする基板収納ケースの取付構造。
【００７７】
（１７）前記（１６）に係る基板収納ケースの取付構造であり、前記遮蔽板結合手段は、前記ケース本体と前記遮蔽板に遮蔽板結合用係合部を備え、前記遮蔽板と前記ケース本体の何れか一方を他方に沿って一方向へスライドさせた際に前記遮蔽板結合用係合部が係合し、反対方向へスライドさせた際に前記遮蔽板結合用係合部の係合が解除されるものからなり、
前記取付収納状態時用遮蔽板結合解除規制手段は、前記遮蔽板と前記ケース本体のうち前記遮蔽板結合用係合部を係合する際及び係合を解除する際にスライドされる被スライド側と前記機械の基板収納ケース取り付け位置に遮蔽板結合解除規制用係合部を備え、前記基板収納ケースが取付収納状態時には、前記遮蔽板結合解除規制用係合部が係合して前記被スライド側が前記遮蔽板と前記ケース本体の係合解除方向へスライドするのを阻止し、前記基板収納ケースが前記取付収納状態から回動した状態時には、前記遮蔽板結合解除規制用係合部の係合が解除されて前記被スライド側が前記遮蔽板と前記ケース本体の係合解除方向へスライドするのを可能にすることを特徴とする基板収納ケースの取付構造。
【００７８】
（１８）前記（１６）または（１７）に係る基板収納ケースの取付構造であり、前記基板収納ケース取付位置には前記電気的装置として第２の基板収納ケースが取り付けられ、前記第２の基板収納ケースに前記基板収納ケースが第１の基板収納ケースとして積み重なるように配置され、
前記第２の基板収納ケースにおける前記第１の基板収納ケースが重なる側に前記接続部材取付部が設けられていることを特徴とする基板収納ケースの取付構造。
【００７９】
（１９）前記（１８）に係る基板収納ケースの取付構造であり、前記第２の基板収納ケースと前記と前記第１の基板収納ケースには、前記取付収納状態時用遮蔽板結合解除規制手段が設けられていることを特徴とする基板収納ケースの取付構造。
【００８０】
（２０）前記（１８）または（１９）に係る基板収納ケースの取付構造であり、前記遮蔽板と前記ケース本体において前記遮蔽板結合用係合部を係合する際及び係合を解除する際にスライドされる被スライド側と、前記第２の基板収納ケースとに、前記取付収納状態時用遮蔽板結合解除規制手段が設けられていることを特徴とする基板収納ケースの取付構造。
【００８１】
（２１）前記（１５）から（２０）の何れか一に係る基板収納ケースの取付構造であり、前記第２の基板収納ケースとは異なる第２の電気的装置を設けると共に前記第２の電気的装置には接続部材を着脱自在に取り付けることが可能な第２の接続部材取付部を設けており、
前記第２の接続部材取付部は前記第２の基板収納ケースが前記取付状態の際に前記基板収納ケース取付位置及び該取付位置の近傍において前記第２の基板収納ケースで覆われる領域に配設されており、
前記第２の基板収納ケースが前記取付状態の際には前記第２の接続部材取付部から前記接続部材が外れることを阻止する第２の基板収納ケースによる接続部材着脱規制手段を備えたことを特徴とする基板収納ケースの取付構造。
【００８２】
（２２）前記（１５）から(２１)の何れか一に係る基板収納ケースの取付構造であり、前記機械は遊技領域が形成された遊技盤を備え、前記遊技盤において遊技領域が形成された面とは反対の裏面側に前記第２の基板収納ケースが配置され、少なくとも前記第１の基板収納ケースが前記設定保持角度と等しい位置にあるいは前記設定保持角度より大の側に回動した場合に前記第２の基板収納ケースが一部を軸にして回動可能な構成とされ、前記第２の基板収納ケースが回動された場合に前記遊技盤の裏面側の少なくとも一部が露出することを特徴とする基板収納ケースの取付構造。
【００８３】
（２３）前記（１５）から（２２）の何れか一に係る基板収納ケースの取付構造であり、前記遮蔽板に前記被係合部に対する前記係合部が形成されていることを特徴とする基板収納ケースの取付構造。
【００８４】
（２４）前記（１）に係る基板収納ケースの取付構造であり、前記基板収納ケースが予め定められた取付収納位置に配置され、前記取付収納位置から角度増加方向へ回動し、前記設定保持角度を有する固定保持位置で前記基板収納ケースを固定保持することが可能であり、更に前記固定保持位置から角度増加方向へ回動し、前記設定解除角度を有する係合解除位置で前記基板収納ケースを着脱することが可能であり、前記基板収納ケースが前記係合解除位置の前記設定解除角度とは異なる角度の位置においては前記基板収納ケースの抜けを防止する抜け防止手段が設けられていることを特徴とする基板収納ケースの取付構造。
【００８５】
前記（１）〜（２４）の構成の効果をまとめると以下の通りである。
（１）の構成によると、機械の検査や部品交換等の際に基板収納ケースが邪魔になる場合には、基板収納ケースを設定保持角度まで回動すれば、その設定保持角度で保持固定することができるため、機械の検査や部品交換時の作業を容易にすることが可能となる。さらに、基板収納ケースの取り外しが必要な場合には、基板収納ケースを設定解除角度まで回動すれば基板収納ケースの取り外しが可能なため、基板収納ケースの取り外しも容易である。また、基板収納ケースの上方側に他の基板収納ケースなどが配設された場合においても、該基板収納ケースを基板収納ケース取付位置の基板収納ケース支持部を軸にして例えば、遊技機後方側に回動することが可能であるため、上方側に設けられた基板収納ケースに接触する虞を低減させることが可能であり、より機械の検査や部品交換時の作業や基板収納ケースの取り外しも容易になる。かつ上方側に設けた基板収納ケースが破損する等の虞を低減させることになる。更に、基板収納ケースが取付収納状態の際には接続部材着脱規制手段により、接続部材が接続部材取付部から外れることを阻止する構成にしているため、不意に接続部材が外れる虞を低減することが可能であり、接続部材が外れることによる遊技の流れを妨害するようなトラブルが生じる虞を低減することが可能である。また、基板収納ケースの取付収納状態の際に不正により接続部材を着脱する虞を低減することも可能である。更に、接続部材を接続部材取付部に対して着脱したい場合には基板収納ケースを設定保持角度に位置すればよいので、基板収納ケースを一旦外して接続部材を着脱するという手間も低減させることが可能である。
【００８６】
（２）の構成によると、基板収納ケースが第１の設定保持角度にある場合には接続部材を着脱することが可能であり、第２の設定保持角度にある場合には接続部材及び電気的装置を着脱することが可能であるため、用途に応じて使い分けが可能であるため、作業などの合理性を図ることが可能である。
【００８７】
（３）の構成によると、基板収納ケースが取付収納状態にある際には接続部材が外れることを防止可能であり、設定保持角度にある場合には接続部材を取り外すことが可能である。また、接続部材取付部配置面と対向面との間隔を、接続部材を接続部材取付部に取り付けた状態の間隔よりも多少大きくすることにより、接続部材や接続部材取付部が破損する虞を低減することが可能である。
【００８８】
（４）の構成によると、基板収納ケースが基板収納ケース取付位置及び接続部材取付部配置面に対して略平行となる為、スペースを有効的に利用できるように基板収納ケースなどを配置することが可能である。
【００８９】
（５）の構成によると、接続部材を接続部材取付部に着脱しやすくなると共に配線部材により電気的な接続をより容易にすることが可能である。
【００９０】
また、（６）の構成によると、制御基板に接続部材取付部を設けているため、電気的な制御が容易になる。
【００９１】
（７）の構成によると、基板収納ケースを保持固定する際の回動と、基板収納ケースを収納する際の回動を区別することができ、確実な保持固定が可能となる。
【００９２】
（８）の構成によると、基板収納ケースの着脱を容易に行うことが可能であり、更に、基板収納ケースの着脱の確認を容易に行うことが可能となる。
【００９３】
（９）の構成によると、基板収納ケースが不用意に基板収納ケース支持部から外れるのを防ぐことが可能となる。
【００９４】
（１０）の構成によると、基板収納ケースを軸部着脱用開口と平行位置まで回動させれば基板収納ケースを取り外すことができるので、基板収納ケースの角度及び軸部の厚み寸法小の位置もわかりやすく、基板収納ケースの着脱作業が容易になる。
【００９５】
（１１）の構成によると、基板収納ケースを設定保持角度まで回動させて保持固定しようとする際の回動途中に基板収納ケースが外れるのを防止することが可能となる。
【００９６】
（１２）の構成によると、基板収納ケースを設定保持角度で保持固定したり、保持固定を解除して収納したりすることが容易に行えるようになる。
【００９７】
（１３）の構成によると、基板収納ケースの取付収納状態時に収納スペースを取る虞が減少する。
【００９８】
（１４）の構成によると、基板収納ケース支持部を取付板に形成すればよいため、機械の構造に対する自由度が高まり、また基板収納ケース支持部が基板収納ケースの幅と略等しい距離離れて一組立設され、基板収納ケースの回動時に基板収納ケースが捻れたりする不具合を防止すると共に、基板収納ケースに対する保持固定強度を高くすることが可能となる。
【００９９】
（１５）の構成によると、限られたスペースに効率よく２つの基板収納ケースを配置することができるのみならず、第１の基板収納ケースを設定保持角度まで回動させて保持固定することにより、第２の基板収納ケースに対して基板を確認したりその他の作業、例えば、接続部材の着脱などの作業をしたりすることが可能となる。また、第１の基板収納ケースが取付収納状態の際には第２の基板収納ケースの接続部材取付部から接続部材が不意に外れる或いは不正により着脱することが低減される。
【０１００】
（１６）の構成によると、ケース本体内の制御基板などの検査や部品交換を行う場合には、従来であれば、一旦、基板収納ケースを外した後、更に遮蔽板とケース本体とを分離させる必要があり手間がかかっていたが、基板収納ケースを取付収納状態から回動した状態では、遮蔽板とケース本体の何れか一方を機械に取り付けた状態で、遮蔽板とケース本体の分離作業を行うことができるため、ケース本体内の制御基板などの検査や部品交換などの作業を容易に行うことが可能となる。
【０１０１】
（１７）の構成によると、基板収納ケースを取付収納状態から回動させた状態では、ケース本体と遮蔽板の分離及び結合を行うことができ、分離結合作業を簡単に行うことが可能となる。
【０１０２】
（１８）の構成によると、限られたスペースに効率よく２つの基板収納ケースを配置することができるのみならず、第１の基板収納ケースを設定保持角度まで回動させて保持固定することにより、第２の基板収納ケースに対して制御基板を確認したりその他の作業、例えば、接続部材の着脱などの作業をしたりすることが可能となる。また、第１の基板収納ケースが取付収納状態の際には第２の基板収納ケースの接続部材取付部から接続部材が不意に外れる或いは不正により着脱することが低減される。
【０１０３】
（１９）の構成によると、限られたスペースに効率よく２つの基板収納ケースを配置することができるのみならず、第１の基板収納ケースを設定保持角度まで回動させて保持固定することにより、第２の基板収納ケースに対して制御基板を確認したりその他の作業をしたりすることが可能となる。
【０１０４】
（２０）の構成によると、第２の基板収納ケースに積み重ねられる第１の基板収納ケースについて、取付収納状態時にケース本体と遮蔽板の分離を阻止でき、取付収納状態から回動させた際にケース本体と遮蔽板の分離が可能になる。
【０１０５】
（２１）の構成によると、第２の基板収納ケースが取付状態の際には第２の基板収納ケースによる接続部材着脱規制手段により、接続部材が第２の接続部材取付部から外れることを阻止する構成にしているため、不意に接続部材が外れる虞を低減することが可能であり、接続部材が外れることによる遊技の流れを妨害するようなトラブルが生じる虞を低減することが可能である。また、第２の基板収納ケースの取付状態の際に不正により接続部材を着脱する虞を低減することも可能である。
【０１０６】
（２２）の構成によると、遊技盤の検査を容易に行うことが可能となる。
【０１０７】
（２３）)の構成によると、ケース本体のみを機械から取り外すことができ、ケース本体内の制御基板などの検査や部品交換などの作業を容易に行うことが可能となる。
【０１０８】
（２４）の構成によると、基板収納ケースを設定保持角度で保持することができると共に設定解除角度で基板収納ケースを外すことができ、また設定解除角度以外では基板収納ケースを外せないようにすることができる。
【０１０９】
なお、本発明は、前記の実施例に限定されるものではなく、本発明の趣旨を逸脱しない範囲で変更可能である。例えば、前記設定保持角度及び設定解除角度は前記の値に限定されず、前記設定保持角度と設定解除角度が異なる値であればよい。特に、前記設定保持角度よりも前記設定解除角度を大にするのが好ましく、その場合、基板収納ケースを設定保持角度で保持するための回動途中に基板収納ケースが外れる虞を無くすことができる。また、基板収納ケース（第１の基板収納ケース）は主制御基板を収納するものに限られず、さらに第２の基板収納ケースは音声・ランプ制御基板を収納するものに限られるものではない。
【０１１０】
また、本実施例では遮蔽板に軸部を形成したが、ケース本体に形成してもよい。その場合、基板収納ケースが取付収納状態から回動した状態におけるケース本体と遮蔽板の分離は、遮蔽板がスライドされることになり、遮蔽板が被スライド側となる。さらに、本実施例では、取付板に基板収納ケース支持部を設けたが、直接に機械本体の裏面や遊技盤の裏面、あるいは遊技領域に設けられた各入賞口から入賞した遊技球やアウト口から排出された遊技球を一旦遊技盤の裏面側に集合させる集合板に基板収納ケース支持部を設けてもよい。さらにまた、前記遮蔽板結合手段、前記取付収納状態時用遮蔽板結合解除規制手段は、本実施例に限定されるものではなく、他の構造からなるものであってもよい。また、基板収納ケース取り付け位置側遮蔽板結合解除規制用係合部は、第２の基板収納ケースに設ける代わりに、取付板や直接機械本体の裏面、あるいは遊技盤の裏面に設けてもよい。機械は遊技機に限定されず、他の機械であってもよい。また、本実施例では主制御基板収納ケースが回動する構成にしているが、それに限るものではなく、例えば主制御基板収納ケースを音声・ランプ制御基板収納ケースに対して平行方向に移動する構成にしてもよい。
【図面の簡単な説明】
【０１１１】
【図１】本発明の基板収納ケースの取付構造によって基板収納ケースが取り付けられた遊技機の正面図である。
【図２】同遊技機の裏面図である。
【図３】同遊技機の遊技盤に取付板を介して音声・ランプ制御基板収納ケース（第１の基板収納ケース）と主制御基板収納ケース（第２の基板収納ケース）が取り付けられた状態を示す遊技盤の裏面図である。
【図４】主制御基板収納ケースの取付収納状態における主制御基板収納ケース、表示制御基板収納ケース等の側面図である。
【図５】取付板に音声・ランプ制御基板収納ケース及び主制御基板収納ケースを取り付けた状態において一側から眺めた斜視図である。
【図６】同取付状態において他側から眺めた斜視図である。
【図７】主制御基板収納ケースを設定保持角度に保持固定した状態の一側斜視図である。
【図８】主制御基板収納ケースを設定保持角度に保持固定した状態の他側斜視図である。
【図９】取付板に対して音声・ランプ制御基板収納ケースを着脱する際の斜視図である。
【図１０】取付板に音声・ランプ制御基板収納ケースを取り付けた状態の斜視図である。
【図１１】音声・ランプ制御基板収納ケースの収納状態の下側側面図及びＡ部拡大断面図である。
【図１２】音声・ランプ制御基板収納ケースの切り欠き部の作用を示す図である。
【図１３】第１の基板収納ケース支持部の側面図である。
【図１４】第１の基板収納ケース支持部の分解図である。
【図１５】主制御基板収納ケースの斜視図である。
【図１６】主制御基板収納ケースを分解して一側から眺めた斜視図である。
【図１７】主制御基板収納ケースを分解して他側から眺めた斜視図である。
【図１８】ケース本体と遮蔽板の結合時のスライドを説明する平面図である。
【図１９】ケース本体と遮蔽板の分離時のスライドを説明する平面図である。
【図２０】スライド規制用弾性係合片の係合及び係合解除を示す断面図である。
【図２１】図５及び図６のＦ−Ｆ断面図である。
【図２２】係合部の斜視図である。
【図２３】設定解除角度状態と設定解除角度から９０度間の係合部と被係合部の状態を示す図である。
【図２４】設定保持角度の９０度から０度間の係合部と被係合部の状態を示す図である。
【図２５】取付収納状態の係合部と被係合部の状態を示す図である。
【図２６】主制御基板収納ケースを着脱する際を示す側面図である。
【図２７】主制御基板収納ケースにおける設定保持角度状態と取付収納状態を示す側面図である。
【図２８】表示制御基板収納ケースが主制御基板収納ケースの取り外しの邪魔になる場合の取り外しを示す側面図である。
【図２９】ケース本体を取り外す際を示す側面図である。
【図３０】受け側コネクタとケーブル側コネクタ等の寸法関係を示す図である。
【図３１】他の実施例に係る第１の基板収納ケース支持部を示す図である。
【図３２】他の実施例における取付収納状態を示す図である。
【図３３】他の実施例における第１の設定保持位置の状態を示す図である。
【図３４】他の実施例における第２の設定保持位置の状態を示す図である。
【図３５】他の実施例における１３５度の位置を示す図である。
【図３６】他の実施例における設定解除角度位置の状態を示す図である。
【図３７】取付板の他の実施例を示す図である。
【符号の説明】
【０１１２】
１  遊技機
２  遊技盤
２ａ  遊技盤の裏面側
３０  取付板
４１  第１の基板収納ケース支持部
４３  被係合部
４４  軸受け部
４５  軸受け孔
４６  抜け部
５０  弾性片
５１  軸受け部側係合爪
５２，８２  回動角度増加時衝突面
５３，８３  回動角度減少時衝突面
６０  音声・ランプ制御基板収納ケース（第２の制御基板収納ケース）
６４  基板収納ケース取り付け位置側遮蔽板結合解除規制用係合部
７０  主制御基板収納ケース（第１の制御基板収納ケース）
７１  ケース本体
７１１  ケース本体側遮蔽板結合用係合部
７１３  ケース本体側遮蔽板結合解除規制用係合部
７３  遮蔽板
７３１  遮蔽板側遮蔽板結合用係合部
７６  軸部
７７  挿入部
８０  被挿入部
【図１】
2006043462.tif 000003
【図２】
2006043462.tif 000004
【図３】
2006043462.tif 000005
【図４】
2006043462.tif 000006
【図５】
2006043462.tif 000007
【図６】
2006043462.tif 000008
【図７】
2006043462.tif 000009
【図８】
2006043462.tif 000010
【図９】
2006043462.tif 000011
【図１０】
2006043462.tif 000012
【図１１】
2006043462.tif 000013
【図１２】
2006043462.tif 000014
【図１３】
2006043462.tif 000015
【図１４】
2006043462.tif 000016
【図１５】
2006043462.tif 000017
【図１６】
2006043462.tif 000018
【図１７】
2006043462.tif 000019
【図１８】
2006043462.tif 000020
【図１９】
2006043462.tif 000021
【図２０】
2006043462.tif 000022
【図２１】
2006043462.tif 000023
【図２２】
2006043462.tif 000024
【図２３】
2006043462.tif 000025
【図２４】
2006043462.tif 000026
【図２５】
2006043462.tif 000027
【図２６】
2006043462.tif 000028
【図２７】
2006043462.tif 000029
【図２８】
2006043462.tif 000030
【図２９】
2006043462.tif 000031
【図３０】
2006043462.tif 000032
【図３１】
2006043462.tif 000033
【図３２】
2006043462.tif 000034
【図３３】
2006043462.tif 000035
【図３４】
2006043462.tif 000036
【図３５】
2006043462.tif 000037
【図３６】
2006043462.tif 000038
【図３７】
2006043462.tif 000039